(57)【要約】【課題】商品の盗難を監視するために、付設ユニットが商品のジャックコネクタに取り付けられ、付設ユニットの商品への取付け状態に応じて警報が発せられる装置であって、付設ユニットが商品から取り外されたことを信頼性高く検出でき装置を提供する。また、かかる装置であって、付設ユニットの一部が商品から若干離れただけでは警報が発せられない商品盗難監視装置を提供する。【解決手段】スイッチ３、ピン５５、バネ５６を含む付設ユニットＡＵ２を商品８に取り付ける。スイッチ３の接点３ｃは可動ロッド３３の位置に応じて開閉する。ピン５５は可動ロッド３３の移動方向に可動ロッド３３に相対的に移動でき、商品８のジャックコネクタ８１の穴８１ｈの内面に接触しつつ穴８１ｈに嵌合できる。ピン５５の可動ロッド３３に対する移動範囲は規制されている。ピン５５を付設面４２の内側に押すと、バネ５６を介して可動ロッド３３を付設面の内側に押すことができる。ピン５５と穴８１ｈの内面の相互接触抵抗により、可動ロッド３３を移動させて、スイッチ３の接点３ｃを開閉する。【選択図】　図１２
2004070921.tif 000002
【特許請求の範囲】
【請求項１】
ジャックコネクタを有する商品の盗難を監視するための商品盗難監視装置であって、
スイッチ及びピンを含み、所定付設面が該商品に臨むように該商品に取り付けられる付設ユニットと、
該付設ユニットの該商品への取付け状態に応じて警報を発する警報装置とを備えており、
該付設ユニットのスイッチは、該付設ユニットが該商品に取り付けられているか否かを検出するためのものであり、該付設面の内側から外側及び外側から内側に向けて直線的に移動可能な可動ロッドと、該可動ロッドの位置に応じて開閉し、該可動ロッドが該付設面の内側に向けて押し込まれると閉じる接点とを有しており、
該ピンは、該可動ロッドと一体的に移動できるように該可動ロッドの先端側に設けられているとともに、該商品のジャックコネクタの穴の内面に接触しつつ該穴に嵌合でき、
該ピンの少なくとも一部が該商品のジャックコネクタの穴の内部に位置するように、該付設ユニットは該商品に取り付けられ、
該付設ユニットを該商品に取り付けるために該ピンが該穴に挿入されるとき、該ピンと該穴の内面の間の相互接触抵抗により、該ピン及び該可動ロッドが一体的に該付設面の内側に向けて押し込まれて、該スイッチの接点が閉じられ、
該付設ユニットが該商品に取り付けられた状態のときには、該ピンと該穴の内面の間の相互接触抵抗により該穴の内部における該ピンの位置が保持され、該可動ロッドが該付設面の内側に向けて押し込まれた状態が保持されて、該スイッチの接点の閉じた状態が保持され、
該付設ユニットが該商品から離れる方向に引っ張られて該商品から取り外されるときには、該ピンと該穴の内面の相互接触抵抗により、該ピン及び該可動ロッドが一体的に該付設面の外側に向けて引っ張られて、該スイッチの接点が開き、
該警報装置は、少なくとも該スイッチの接点が開いているときに警報を発することを特徴とする商品盗難監視装置。
【請求項２】
ジャックコネクタを有する商品の盗難を監視するための商品盗難監視装置であって、
スイッチ、弾性部材及びピンを含み、所定付設面が該商品に臨むように該商品に取り付けられる付設ユニットと、
該付設ユニットの該商品への取付け状態に応じて警報を発する警報装置とを備えており、
該付設ユニットのスイッチは、該付設ユニットが該商品に取り付けられているか否かを検出するためのものであり、該付設面の内側から外側及び外側から内側に向けて直線的に移動可能な可動ロッドと、該可動ロッドの位置に応じて開閉し、該可動ロッドが該付設面の内側に向けて押し込まれると閉じる接点とを有しており、
該弾性部材は該可動ロッドの移動可能方向に伸縮可能であり、
該ピンは該可動ロッドの移動可能方向に該可動ロッドに対して相対的に移動できるとともに、該商品のジャックコネクタの穴の内面に接触しつつ該穴に嵌合でき、
該弾性部材及び該ピンは、該ピンが該付設面の内側に向けて押されると、該弾性部材を介して該可動ロッドを該付設面の内側に向けて押すことができるように、該可動ロッドの先端側に設けられており、
該可動ロッドと該ピンとが所定距離よりも大きく離れないように、該ピンの該可動ロッドに対する相対的移動範囲は規制されており、
該ピンの少なくとも一部が該商品のジャックコネクタの穴の内部に位置するように、該付設ユニットは該商品に取り付けられ、
該付設ユニットを該商品に取り付けるために該ピンが該穴に挿入されるとき、該ピンと該穴の内面の間の相互接触抵抗により、該ピンが該弾性部材を介して該可動ロッドを該付設面の内側に向けて押し込んで、該スイッチの接点が閉じられ、
該付設ユニットが該商品に取り付けられた状態のときには、該ピンと該穴の内面の間の相互接触抵抗により該穴の内部における該ピンの位置が保持され、該ピンが圧縮された該弾性部材を介して該可動ロッドを該付設面の内側に向けて押し込んだ状態が保持されて、該スイッチの接点の閉じた状態が保持され、
該付設ユニットが該商品から離れる方向に引っ張られて該商品から取り外されるときには、該可動ロッドと該ピンとが前記所定距離よりも大きく離れないように規制がかかるまでは、該ピンと該穴の内面の間の相互接触抵抗により該ピンの該穴の内部における位置が保持されるとともに、該弾性部材がその弾力で復元していくことにより該可動ロッドが該付設面の内側に押し込まれている状態が保持されて、該スイッチの接点の閉じた状態が保持され、
該可動ロッドと該ピンとが前記所定距離よりも大きく離れないように規制がかかった後、該付設ユニットがさらに該商品から離れる方向に引っ張られると、該ピンと該穴の内面の相互接触抵抗により、該可動ロッドが該付設面の外側に引っ張られて、該スイッチの接点が開き、
該警報装置は、少なくとも該スイッチの接点が開いているときに警報を発することを特徴とする商品盗難監視装置。
【請求項３】
ジャックコネクタを有する商品の盗難を監視するための商品盗難監視装置であって、
スイッチ、ピン及び該スイッチに接続された付設ユニット取付け用嵌合部を含み、所定付設面が該商品に臨むように該商品に取り付けられる付設ユニットと、
該付設ユニットの該商品への取付け状態に応じて警報を発する警報装置とを備えており、
該付設ユニットのスイッチは、該付設ユニットが該商品に取り付けられているか否かを検出するためのものであり、該付設面の内側から外側及び外側から内側に向けて直線的に移動可能で該付設面の内側から外側へ向け付勢されている可動ロッドと、該可動ロッドの位置に応じて開閉し、該可動ロッドが該付設面の内側に向けて押し込まれると閉じる接点とを有しており、
該ピンは該可動ロッドの移動可能方向に該可動ロッドに対して相対的に所定距離だけ移動可能に該可動ロッドに連結されていて該商品のジャックコネクタの穴の内面に接触しつつ該穴に嵌合でき、
該付設ユニット取付け用嵌合部は該可動ロッドの前記直線的移動を許すように該可動ロッドに外嵌していて該商品のジャックコネクタの穴に引き抜き可能に嵌合でき、
該ピンが該商品のジャックコネクタの穴に挿入されるとともに該付設ユニット取付け用嵌合部が該ジャックコネクタの穴に嵌合されることで該商品への付設ユニット取付けが可能であり、
該付設ユニットを該商品に取り付けるために該ピンが該穴に挿入されるとき、該ピンと該穴の内面の間の相互接触抵抗により、該ピンが該可動ロッドに対して前記所定距離の範囲内で該可動ロッド側へ相対的に移動した後、該ピン及び可動ロッドが該付設面の内側に向けて押し込まれて該スイッチの接点が閉じられ、
該付設ユニットが該商品に取り付けられた状態のときには、該ピンと該穴の内面の間の相互接触抵抗により該穴の内部における該ピンの位置が保持され、該可動ロッドが該付設面の内側に向けて押し込まれた状態が保持されて、該スイッチの接点の閉じた状態が保持され、
該付設ユニットが該商品から離れる方向に引っ張られて該商品から取り外されるときには、該付設ユニット取付け用嵌合部が該商品のジャックコネクタの穴から引き抜かれるとともに、該可動ロッドが該ピンに対し前記所定距離の範囲内で相対的に移動し終わるまでは該ピンの該穴内部における位置が該ピンと該穴の内面の間の相互接触抵抗により保持され、この間に該可動ロッドが該付設面の内側から外側へ向け付勢され該スイッチの接点が開かれ、該可動ロッドが該ピンに対し前記所定距離の範囲内で相対的に移動し終わった後、該付設ユニットがさらに該商品から離れる方向に引っ張られると該ピンが該商品から取り外され、
該警報装置は、少なくとも該スイッチの接点が開いているときに警報を発することを特徴とする商品盗難監視装置。
【請求項４】
前記付設ユニットは、前記可動ロッドの移動を許すように前記付設面に接着される両面接着テープによって前記商品に取り付けられる請求項１又は２記載の商品盗難監視装置。
【請求項５】
前記付設ユニットは、前記商品のジャックコネクタの穴に嵌合でき、前記可動ロッドの移動を許す孔が設けられた嵌合部をさらに有しており、該嵌合部を該商品のジャックコネクタの穴に嵌合させることによって、該付設ユニットが該商品に取り付けられる請求項１又は２記載の商品盗難監視装置。
【請求項６】
前記スイッチの可動ロッドには前記付設面の外側に向けた付勢力が加えられており、該可動ロッドに該付勢力以外の外力が加えられていないときには該スイッチの接点が開いている請求項１、２、４又は５記載の商品盗難監視装置。
【請求項７】
前記付設ユニットが前記商品に取り付けられた状態において、前記可動ロッドと該商品のジャックコネクタの穴の内面とが電気的に絶縁されている請求項１、２、４、５又は６記載の商品盗難監視装置。
【請求項８】
前記付設ユニットが前記商品に取り付けられた状態において、前記可動ロッドと該商品のジャックコネクタの穴の内面とが電気的に絶縁されており、前記ピンは電気絶縁性材料から形成されている請求項３記載の商品盗難監視装置。
【請求項９】
前記付設ユニット取付け用嵌合部は少なくとも先端部が該嵌合部の前記ジャックコネクタの穴への嵌合方向に延びる切り欠きにより２以上に分割されていて弾性復元力に抗して絞り得る請求項３又は８記載の商品盗難監視装置。
【請求項１０】
前記付設ユニットが前記商品に取り付けられた状態における該商品のジャックコネクタの穴の内部に挿入された前記ピンの先端から該穴の入口までの長さが、該ジャックコネクタに本来差し込まれる予定のプラグコネクタが該ジャックコネクタに差し込まれた状態における該プラグコネクタの先端から該穴の入口までの長さよりも短い請求項１から９のいずれかに記載の商品盗難監視装置。
【請求項１１】
前記商品は前記ジャックコネクタとして、イヤホン又はヘッドホンのプラグコネクタを差し込むためのジャックコネクタを有するものである請求項１から１０のいずれかに記載の商品盗難監視装置。
【請求項１２】
ジャックコネクタを有する商品の盗難を監視するための商品盗難監視装置において用いられ、所定付設面が該商品に臨むように該商品に取り付けられる付設ユニットであって、
スイッチ及びピンを備えており、
該スイッチは、該付設ユニットが該商品に取り付けられているか否かを検出するためのものであり、該付設面の内側から外側及び外側から内側に向けて直線的に移動可能な可動ロッドと、該可動ロッドの位置に応じて開閉し、該可動ロッドが該付設面の内側に向けて押し込まれると閉じる接点とを有しており、
該ピンは、該可動ロッドと一体的に移動できるように該可動ロッドの先端側に設けられているとともに、該商品のジャックコネクタの穴の内面に接触しつつ該穴に嵌合でき、
該ピンの少なくとも一部が該商品のジャックコネクタの穴の内部に位置するように、該付設ユニットは該商品に取り付けられ、
該付設ユニットを該商品に取り付けるために該ピンが該穴に挿入されるとき、該ピンと該穴の内面の間の相互接触抵抗により、該ピン及び該可動ロッドが一体的に該付設面の内側に向けて押し込まれて、該スイッチの接点が閉じられ、
該付設ユニットが該商品に取り付けられた状態のときには、該ピンと該穴の内面の間の相互接触抵抗により該穴の内部における該ピンの位置が保持され、該可動ロッドが該付設面の内側に向けて押し込まれた状態が保持されて、該スイッチの接点の閉じた状態が保持され、
該付設ユニットが該商品から離れる方向に引っ張られて該商品から取り外されるときには、該ピンと該穴の内面の相互接触抵抗により、該ピン及び該可動ロッドが一体的に該付設面の外側に向けて引っ張られて、該スイッチの接点が開くことを特徴とする付設ユニット。
【請求項１３】
ジャックコネクタを有する商品の盗難を監視するための商品盗難監視装置において用いられ、所定付設面が該商品に臨むように該商品に取り付けられる付設ユニットであって、
スイッチ、弾性部材及びピンを備えており、
該スイッチは、該付設ユニットが該商品に取り付けられているか否かを検出するためのものであり、該付設面の内側から外側及び外側から内側に向けて直線的に移動可能な可動ロッドと、該可動ロッドの位置に応じて開閉し、該可動ロッドが該付設面の内側に向けて押し込まれると閉じる接点とを有しており、
該弾性部材は該可動ロッドの移動可能方向に伸縮可能であり、
該ピンは該可動ロッドの移動可能方向に該可動ロッドに対して相対的に移動できるとともに、該商品のジャックコネクタの穴の内面に接触しつつ該穴に嵌合でき、
該弾性部材及び該ピンは、該ピンが該付設面の内側に向けて押されると、該弾性部材を介して該可動ロッドを該付設面の内側に向けて押すことができるように、該可動ロッドの先端側に設けられており、
該可動ロッドと該ピンとが所定距離よりも大きく離れないように、該ピンの該可動ロッドに対する相対的移動範囲は規制されており、
該ピンの少なくとも一部が該商品のジャックコネクタの穴の内部に位置するように、該付設ユニットは該商品に取り付けられ、
該付設ユニットを該商品に取り付けるために該ピンが該穴に挿入されるとき、該ピンと該穴の内面の間の相互接触抵抗により、該ピンが該弾性部材を介して該可動ロッドを該付設面の内側に向けて押し込んで、該スイッチの接点が閉じられ、
該付設ユニットが該商品に取り付けられた状態のときには、該ピンと該穴の内面の間の相互接触抵抗により該穴の内部における該ピンの位置が保持され、該ピンが圧縮された該弾性部材を介して該可動ロッドを該付設面の内側に向けて押し込んだ状態が保持されて、該スイッチの接点の閉じた状態が保持され、
該付設ユニットが該商品から離れる方向に引っ張られて該商品から取り外されるときには、該可動ロッドと該ピンとが前記所定距離よりも大きく離れないように規制がかかるまでは、該ピンと該穴の内面の間の相互接触抵抗により該ピンの該穴の内部における位置が保持されるとともに、該弾性部材がその弾力で復元していくことにより該可動ロッドが該付設面の内側に押し込まれている状態が保持されて、該スイッチの接点の閉じた状態が保持され、
該可動ロッドと該ピンとが前記所定距離よりも大きく離れないように規制がかかった後、該付設ユニットがさらに該商品から離れる方向に引っ張られると、該ピンと該穴の内面の相互接触抵抗により、該可動ロッドが該付設面の外側に引っ張られて、該スイッチの接点が開くことを特徴とする付設ユニット。
【請求項１４】
ジャックコネクタを有する商品の盗難を監視するための商品盗難監視装置において用いられ、所定付設面が該商品に臨むように該商品に取り付けられる付設ユニットであって、
スイッチ、ピン及び該スイッチに接続された付設ユニット取付け用嵌合部を備えており、
該スイッチは、該付設ユニットが該商品に取り付けられているか否かを検出するためのものであり、該付設面の内側から外側及び外側から内側に向けて直線的に移動可能で該付設面の内側から外側へ向け付勢されている可動ロッドと、該可動ロッドの位置に応じて開閉し、該可動ロッドが該付設面の内側に向けて押し込まれると閉じる接点とを有しており、
該ピンは該可動ロッドの移動可能方向に該可動ロッドに対して相対的に所定距離だけ移動可能に該可動ロッドに連結されていて該商品のジャックコネクタの穴の内面に接触しつつ該穴に嵌合でき、
該付設ユニット取付け用嵌合部は該可動ロッドの前記直線的移動を許すように該可動ロッドに外嵌していて該商品のジャックコネクタの穴に引き抜き可能に嵌合でき、
該ピンが該商品のジャックコネクタの穴に挿入されるとともに該付設ユニット取付け用嵌合部が該ジャックコネクタの穴に嵌合されることで該商品への取付けが可能であり、
該付設ユニットを該商品に取り付けるために該ピンが該穴に挿入されるとき、該ピンと該穴の内面の間の相互接触抵抗により、該ピンが該可動ロッドに対して前記所定距離の範囲内で該可動ロッド側へ相対的に移動した後、該ピン及び可動ロッドが該付設面の内側に向けて押し込まれて該スイッチの接点が閉じられ、
該付設ユニットが該商品に取り付けられた状態のときには、該ピンと該穴の内面の間の相互接触抵抗により該穴の内部における該ピンの位置が保持され、該可動ロッドが該付設面の内側に向けて押し込まれた状態が保持されて、該スイッチの接点の閉じた状態が保持され、
該付設ユニットが該商品から離れる方向に引っ張られて該商品から取り外されるときには、該付設ユニット取付け用嵌合部が該商品のジャックコネクタの穴から引き抜かれるとともに、該可動ロッドが該ピンに対し前記所定距離の範囲内で相対的に移動し終わるまでは該ピンの該穴内部における位置が該ピンと該穴の内面の間の相互接触抵抗により保持され、この間に該可動ロッドが該付設面の内側から外側へ向け付勢され該スイッチの接点が開かれ、該可動ロッドが該ピンに対し前記所定距離の範囲内で相対的に移動し終わった後、該付設ユニットがさらに該商品から離れる方向に引っ張られると該ピンが該商品から取り外されることを特徴とする付設ユニット
【請求項１５】
前記可動ロッドの移動を許すように前記付設面に接着される両面接着テープによって前記商品に取り付けられる請求項１２又は１３記載の付設ユニット。
【請求項１６】
前記商品のジャックコネクタの穴に嵌合でき、前記可動ロッドの移動を許す孔が設けられた嵌合部をさらに有しており、該嵌合部を該商品のジャックコネクタの穴に嵌合させることによって、該付設ユニットが該商品に取り付けられる請求項１２又は１３記載の付設ユニット。
【請求項１７】
前記スイッチの可動ロッドには前記付設面の外側に向けた付勢力が加えられており、該可動ロッドに該付勢力以外の外力が加えられていないときには該スイッチの接点が開いている請求項１２、１３、１５又は１６記載の付設ユニット。
【請求項１８】
前記商品に取り付けられた状態において、前記可動ロッドと該商品のジャックコネクタの穴の内面とが電気的に絶縁された状態が得られる請求項１２、１３、１５、１６又は１７記載の付設ユニット。
【請求項１９】
前記商品に取り付けられた状態において、前記可動ロッドと該商品のジャックコネクタの穴の内面とが電気的に絶縁された状態が得られ、前記ピンは電気絶縁性材料から形成されている請求項１４記載の付設ユニット。
【請求項２０】
前記付設ユニット取付け用嵌合部は少なくとも先端部が該嵌合部の前記ジャックコネクタの穴への嵌合方向に延びる切り欠きにより２以上に分割されていて弾性復元力に抗して絞り得る請求項１４又は１９記載の付設ユニット。
【請求項２１】
前記商品に取り付けられた状態における該商品のジャックコネクタの穴の内部に挿入された前記ピンの先端から該穴の入口までの長さが、該ジャックコネクタに本来差し込まれる予定のプラグコネクタが該ジャックコネクタに差し込まれた状態における該プラグコネクタの先端から該穴の入口までの長さよりも短い請求項１２から２０のいずれかに記載の付設ユニット。
【請求項２２】
前記商品は前記ジャックコネクタとして、イヤホン又はヘッドホンのプラグコネクタを差し込むためのジャックコネクタを有するものである請求項１２から２１のいずれかに記載の付設ユニット。
【発明の詳細な説明】
【０００１】
【発明の属する技術分野】
本発明は、商品が万引き等されるのを防止、抑止するための商品盗難監視装置に関する。また、本発明は、商品盗難監視装置で用いられ、監視対象商品に取り付けられる付設ユニットに関する。
【０００２】
【従来の技術】
店頭に展示などされる商品が万引き等されるのを防止、抑止するための商品盗難監視装置には種々のものが提案されている。例えば、次のようにして商品が万引き等されたことを検出して、商品が万引き等されたことが検出されたときに警報を発する商品盗難監視装置が提案されている。
【０００３】
商品には、例えば次のような付設ユニットが取り付けられる。付設ユニットは、付設ユニットが商品に取り付けられている状態にあるか否かを検出するための検出素子を有しており、その検出素子が検出する付設ユニットの商品への取付け状態に応じて警報が発せられる。
【０００４】
付設ユニットの一例の概略断面図を図１７（Ａ）及び（Ｂ）に示す。図１７（Ａ）及び（Ｂ）の付設ユニットＡＵｐは、付設面９２が商品８に臨むように商品に取り付けられる。付設ユニットＡＵｐは、付設ユニットＡＵｐの商品８への取付け状態を検出するためのスイッチ９１を有しており、このスイッチ９１はケース９５の内部に配置されている。スイッチ９１は可動ロッド９１１を有しており、可動ロッド９１１は付設面９２の内側から外側（図１７において上側から下側）及び外側から内側に向けて移動できる。スイッチ９１の接点（図示省略）は可動ロッド９１１の位置に応じて開閉し、可動ロッド９１１が付設面９２の内側（図において上側）に向けて押し込まれたときには閉じるようになっている。可動ロッド９１１には付設面の外側に向かう付勢力がスイッチ内部に配置されたバネ（図示省略）によって加えられており、可動ロッド９１１に付勢力以外の外力が加えられていないときには、スイッチ９１の接点は開いた状態となるようになっている。付設ユニットＡＵｐを商品８に取り付けるときには、商品面によって可動ロッド９１１を付設面９２の内側に押し込み、スイッチの接点は閉じられる。この後、付設ユニットＡＵｐが商品から取り外されると、付勢力によって可動ロッド９１１が付設面９２の外側に移動して、スイッチ９１の接点が開き、付設ユニットＡＵｐが商品から取り外されたことが検出される。スイッチ９１の検出情報は、ケーブル９４によって警報装置（図示省略）に伝送され、警報装置はスイッチの接点が開いているときに警報を発する。
【０００５】
この付設ユニットＡＵｐには、付設ユニットＡＵｐの商品８への取付けを容易にするために、商品８に設けられているジャックコネクタ８１に嵌合するプラグコネクタ９３が設けられている。付設ユニットＡＵｐのプラグコネクタ９３を商品８のジャックコネクタ８１に差し込むだけで、付設ユニットＡＵｐは容易に商品８に取り付けることができる。
【０００６】
【発明が解決しようとする課題】
しかしながら、図１７（Ｃ）に示すように可動ロッド９１１と商品８との間に薄板ＴＰが差し込まれ、可動ロッド９１１が付設面９２の外側に移動しないように可動ロッド９１１が押さえこまれた後、付設ユニットＡＵｐが商品８から取り外されると、可動ロッド９１１は付設面９２の外側に移動できず、したがってスイッチ９１の接点は開かず、付設ユニットが商品から取り外されたことが検出されない。その結果、付設ユニットＡＵｐが商品８から取り外されても警報が発せられない。
【０００７】
一方、客が商品８を手にとるなどしたときに、その客が付設ユニットＡＵｐを商品８から取り外そうという気がなくても、何らかの原因で付設ユニットＡＵｐが商品から若干離れてしまうこともあり、付設ユニットＡＵｐ、さらに言えばその一部が若干でも商品から離れると、可動ロッド９１１が付設面９２の外側に移動して、すぐさまスイッチの接点が開き、警報が発せられる。通常、警報が発せられた後、スイッチの接点が閉じられても、警報は継続されるようになっている。したがって、このように悪意のない客が商品を手にとるなどして、付設ユニットＡＵｐが若干商品から離れただけで警報が発せられたのでは、客を不快にさせてしまうことになりかねないし、客の商品の購入意欲をそいでしまうことになりかねない。また、本当に付設ユニットが商品から取り外され商品が盗まれそうになって発せられた警報と、付設ユニットＡＵｐが若干商品から離れて発せられた警報とを店のスタッフ等は区別できないため、警報の信頼性も低下する。このように付設ユニットＡＵｐが商品から若干離れただけで、すぐに警報が発せられるとかえって不都合である。
【０００８】
そこで本発明は、ジャックコネクタを有する商品の盗難を監視するために、その商品に取り付けられる付設ユニットを有し、付設ユニットの商品への取り付け状態に応じて警報が発せられる商品盗難監視装置であって、付設ユニットが商品から取り外されたことを従来よりも信頼性高く、確実に検出することができ、付設ユニットが商品から取り外されたときには従来よりも信頼性高く、確実に警報を発することができる商品盗難監視装置を提供することを課題とする。
【０００９】
また、本発明は、付設ユニットが商品から取り外されたことを従来よりも信頼性高く、確実に検出することができ、付設ユニットが商品から取り外されたときには従来よりも信頼性高く、確実に警報を発することができるとともに、付設ユニットが商品から若干離れただけでは警報が発せられない商品盗難監視装置を提供することを課題とする。
【００１０】
なお、「付設ユニットが商品から若干離れる」とは、先ほどの従来技術の説明から、また、後述の説明からも明らかなように、より正確に言えば、「付設ユニットの一部が商品から若干離れる」ことである。
【００１１】
また、本発明は、商品盗難監視装置において用いられる付設ユニットであって、商品への取り付け状態を従来よりも信頼性高く、確実に検出することができる付設ユニットを提供することを課題とする。
【００１２】
また、本発明は、商品への取り付け状態を従来よりも信頼性高く、確実に検出することができるとともに、付設ユニットが商品から若干離れただけでは付設ユニットが商品から外れたとは検出しない付設ユニットを提供することを課題とする。
【００１３】
ここでも、「付設ユニットが商品から若干離れる」とは、より正確に言えば、「付設ユニットの一部が商品から若干離れる」ことである。
【００１４】
【課題を解決するための手段】
§１．商品盗難監視装置
本発明は、前記課題を解決するために次の第１、第２及び第３の三つのタイプの商品盗難監視装置を提供する。
【００１５】
（１）第１タイプの商品盗難監視装置は、
ジャックコネクタを有する商品の盗難を監視するための商品盗難監視装置であって、
スイッチ及びピンを含み、所定付設面が該商品に臨むように該商品に取り付けられる付設ユニットと、
該付設ユニットの該商品への取付け状態に応じて警報を発する警報装置とを備えており、
該付設ユニットのスイッチは、該付設ユニットが該商品に取り付けられているか否かを検出するためのものであり、該付設面の内側から外側及び外側から内側に向けて直線的に移動可能な可動ロッドと、該可動ロッドの位置に応じて開閉し、該可動ロッドが該付設面の内側に向けて押し込まれると閉じる接点とを有しており、
該ピンは、該可動ロッドと一体的に移動できるように該可動ロッドの先端側に設けられているとともに、該商品のジャックコネクタの穴の内面に接触しつつ該穴に嵌合でき、
該ピンの少なくとも一部が該商品のジャックコネクタの穴の内部に位置するように、該付設ユニットは該商品に取り付けられ、
該付設ユニットを該商品に取り付けるために該ピンが該穴に挿入されるとき、該ピンと該穴の内面の間の相互接触抵抗により、該ピン及び該可動ロッドが一体的に該付設面の内側に向けて押し込まれて、該スイッチの接点が閉じられ、
該付設ユニットが該商品に取り付けられた状態のときには、該ピンと該穴の内面の間の相互接触抵抗により該穴の内部における該ピンの位置が保持され、該可動ロッドが該付設面の内側に向けて押し込まれた状態が保持されて、該スイッチの接点の閉じた状態が保持され、
該付設ユニットが該商品から離れる方向に引っ張られて該商品から取り外されるときには、該ピンと該穴の内面の相互接触抵抗により、該ピン及び該可動ロッドが一体的に該付設面の外側に向けて引っ張られて、該スイッチの接点が開き、
該警報装置は、少なくとも該スイッチの接点が開いているときに警報を発することを特徴とする商品盗難監視装置である。
【００１６】
（２）第２タイプの商品盗難監視装置は、
ジャックコネクタを有する商品の盗難を監視するための商品盗難監視装置であって、
スイッチ、弾性部材及びピンを含み、所定付設面が該商品に臨むように該商品に取り付けられる付設ユニットと、
該付設ユニットの該商品への取付け状態に応じて警報を発する警報装置とを備えており、
該付設ユニットのスイッチは、該付設ユニットが該商品に取り付けられているか否かを検出するためのものであり、該付設面の内側から外側及び外側から内側に向けて直線的に移動可能な可動ロッドと、該可動ロッドの位置に応じて開閉し、該可動ロッドが該付設面の内側に向けて押し込まれると閉じる接点とを有しており、
該弾性部材は該可動ロッドの移動可能方向に伸縮可能であり、
該ピンは該可動ロッドの移動可能方向に該可動ロッドに対して相対的に移動できるとともに、該商品のジャックコネクタの穴の内面に接触しつつ該穴に嵌合でき、
該弾性部材及び該ピンは、該ピンが該付設面の内側に向けて押されると、該弾性部材を介して該可動ロッドを該付設面の内側に向けて押すことができるように、該可動ロッドの先端側に設けられており、
該可動ロッドと該ピンとが所定距離よりも大きく離れないように、該ピンの該可動ロッドに対する相対的移動範囲は規制されており、
該ピンの少なくとも一部が該商品のジャックコネクタの穴の内部に位置するように、該付設ユニットは該商品に取り付けられ、
該付設ユニットを該商品に取り付けるために該ピンが該穴に挿入されるとき、該ピンと該穴の内面の間の相互接触抵抗により、該ピンが該弾性部材を介して該可動ロッドを該付設面の内側に向けて押し込んで、該スイッチの接点が閉じられ、
該付設ユニットが該商品に取り付けられた状態のときには、該ピンと該穴の内面の間の相互接触抵抗により該穴の内部における該ピンの位置が保持され、該ピンが圧縮された該弾性部材を介して該可動ロッドを該付設面の内側に向けて押し込んだ状態が保持されて、該スイッチの接点の閉じた状態が保持され、
該付設ユニットが該商品から離れる方向に引っ張られて該商品から取り外されるときには、該可動ロッドと該ピンとが前記所定距離よりも大きく離れないように規制がかかるまでは、該ピンと該穴の内面の間の相互接触抵抗により該ピンの該穴の内部における位置が保持されるとともに、該弾性部材がその弾力で復元していくことにより該可動ロッドが該付設面の内側に押し込まれている状態が保持されて、該スイッチの接点の閉じた状態が保持され、
該可動ロッドと該ピンとが前記所定距離よりも大きく離れないように規制がかかった後、該付設ユニットがさらに該商品から離れる方向に引っ張られると、該ピンと該穴の内面の相互接触抵抗により、該可動ロッドが該付設面の外側に引っ張られて、該スイッチの接点が開き、
該警報装置は、少なくとも該スイッチの接点が開いているときに警報を発することを特徴とする商品盗難監視装置である。
（３）第３タイプの商品盗難監視装置は、
ジャックコネクタを有する商品の盗難を監視するための商品盗難監視装置であって、
スイッチ、ピン及び該スイッチに接続された付設ユニット取付け用嵌合部を含み、所定付設面が該商品に臨むように該商品に取り付けられる付設ユニットと、
該付設ユニットの該商品への取付け状態に応じて警報を発する警報装置とを備えており、
該付設ユニットのスイッチは、該付設ユニットが該商品に取り付けられているか否かを検出するためのものであり、該付設面の内側から外側及び外側から内側に向けて直線的に移動可能で該付設面の内側から外側へ向け付勢されている可動ロッドと、該可動ロッドの位置に応じて開閉し、該可動ロッドが該付設面の内側に向けて押し込まれると閉じる接点とを有しており、
該ピンは該可動ロッドの移動可能方向に該可動ロッドに対して相対的に所定距離だけ移動可能に該可動ロッドに連結されていて該商品のジャックコネクタの穴の内面に接触しつつ該穴に嵌合でき、
該付設ユニット取付け用嵌合部は該可動ロッドの前記直線的移動を許すように該可動ロッドに外嵌していて該商品のジャックコネクタの穴に引き抜き可能に嵌合でき、
該ピンが該商品のジャックコネクタの穴に挿入されるとともに該付設ユニット取付け用嵌合部が該ジャックコネクタの穴に嵌合されることで該商品への付設ユニット取付けが可能であり、
該付設ユニットを該商品に取り付けるために該ピンが該穴に挿入されるとき、該ピンと該穴の内面の間の相互接触抵抗により、該ピンが該可動ロッドに対して前記所定距離の範囲内で該可動ロッド側へ相対的に移動した後、該ピン及び可動ロッドが該付設面の内側に向けて押し込まれて該スイッチの接点が閉じられ、
該付設ユニットが該商品に取り付けられた状態のときには、該ピンと該穴の内面の間の相互接触抵抗により該穴の内部における該ピンの位置が保持され、該可動ロッドが該付設面の内側に向けて押し込まれた状態が保持されて、該スイッチの接点の閉じた状態が保持され、
該付設ユニットが該商品から離れる方向に引っ張られて該商品から取り外されるときには、該付設ユニット取付け用嵌合部が該商品のジャックコネクタの穴から引き抜かれるとともに、該可動ロッドが該ピンに対し前記所定距離の範囲内で相対的に移動し終わるまでは該ピンの該穴内部における位置が該ピンと該穴の内面の間の相互接触抵抗により保持され、この間に該可動ロッドが該付設面の内側から外側へ向け付勢され該スイッチの接点が開かれ、該可動ロッドが該ピンに対し前記所定距離の範囲内で相対的に移動し終わった後、該付設ユニットがさらに該商品から離れる方向に引っ張られると該ピンが該商品から取り外され、
該警報装置は、少なくとも該スイッチの接点が開いているときに警報を発することを特徴とする商品盗難監視装置である。
【００１７】
§１．１．
まず、いずれのタイプの商品盗難監視装置にも共通する事項を述べる。以下に述べることは特にことわりのない限りいずれのタイプの商品盗難監視装置にもあてはまる。
【００１８】
本発明に係る商品盗難監視装置は、展示されるなどする商品が万引き等されるのを抑制、防止するためのものである。
【００１９】
商品盗難監視装置により、万引き等されないように監視する商品（監視対象商品）は、ジャックコネクタ（雌コネクタ）を有するものである。商品のジャックコネクタは、これにプラグコネクタ（雄コネクタ）を差し込み、電気的な接続を確立するために元々はその商品に設けられている。商品のジャックコネクタは例えばイヤホン又はヘッドホンのプラグコネクタや、他の機器との接続のためのケーブルのプラグコネクタ等を差し込むためのもであり、このようなジャックコネクタを有する商品の例としては、ポータブルＭＤプレイヤ、ポータブルＣＤプレイヤ、ポータブルカセットテーププレイヤ等のポータブルオーディオ装置（少なくともオーディオ再生機能を有するオーディオ装置）や、パーソナルコンピュータ、持ち運び可能な液晶テレビ、さらにはデジタルカメラ、ビデオカメラ等のカメラ、携帯電話（ＰＨＳを含む）等を挙げることができる。商品盗難監視装置は、商品に設けられているジャックコネクタ、さらに言うと、そのジャックコネクタの穴を利用してその商品が万引き等されないように監視する。
【００２０】
商品盗難監視装置は、商品に取り付けられる付設ユニットと、付設ユニットの監視対象商品への取付け状態に応じて（換言すれば、付設ユニットが監視対象商品に取り付けられているか否かに応じて）警報を発する警報装置とを備えている。
【００２１】
付設ユニットは、その所定面が商品に取り付けられ、さらに言うと、その所定面が商品に臨むように商品に取り付けられる。ここでは、監視対象商品に取り付けるにあたり、該商品に臨ませられる付設ユニットの所定面を付設面と呼ぶ。
【００２２】
付設ユニットは、付設ユニットが商品に取り付けられているか否かを検出するためのスイッチを有している。スイッチは、可動ロッドと、この可動ロッドの位置に応じて開閉する接点とを含んでいる。スイッチは例えばマイクロスイッチとすればよい。付設ユニットは中空ケース（カバーケース）をさらに有するものとしてもよく、そのケースの内部にスイッチの少なくとも一部を配置してもよい。
【００２３】
スイッチの可動ロッドは、付設面の内側から外側及び外側から内側に向けて直線的に移動可能である。なお、「付設面の外側」とは付設ユニットを商品に取り付けたときに付設面の商品に近い側であり、商品から遠い側が「付設面の内側」である。
【００２４】
スイッチの接点は、可動ロッドが付設面の内側に向けて押し込まれると閉じる。スイッチの接点は、例えば、固定接点片と可動接点片とにより構成されており、可動ロッドが付設面の内側に向けて押し込まれると、可動ロッドは可動接点片を直接的又は間接的に押し、可動接点片が変形又は（及び）移動して、可動接点片と固定接点片とが接触し、接点が閉じる。
【００２５】
可動ロッドの付設面の外側方向への移動範囲を規制するために、可動ロッドとスイッチ本体（例えばスイッチケース）に、互いに係合する係合部をそれぞれ設けてもよい。スイッチには、可動ロッドに付設面の外側に向けた付勢力を加えるための板バネ、コイルバネ等、ゴム部材等の弾性部材をさらに設けてもよい。このようにすれば、可動ロッドに付勢力以外の外力が加えられていないときにはスイッチの接点を確実に開いた状態にすることができる。
【００２６】
以下に詳しく述べるが、スイッチの接点が閉じるように付設ユニットは商品に取り付けられ、付設ユニットが商品から意図的に外されると或いは偶発的に外れるとスイッチの接点は開くようになっている。つまり、付設ユニットの商品への取付け状態に応じてスイッチの接点が開閉するようになっている。
【００２７】
警報装置は、スイッチの接点の開閉状態に基づき、換言すれば、スイッチの検出情報（接点情報）に基づき警報を発する。スイッチの検出情報（接点情報）は、例えばケーブルによって警報装置に伝送すればよい。警報装置は、少なくともスイッチの接点が開いているときに警報を発する。警報装置は、スイッチの接点が開いた後、たとえスイッチの接点が閉じられても、リセットスイッチの押し下げ等の所定の操作がなされるまでは、警報を発し続けるようにしてもよい。警報は、例えば、音又は（及び）光によるものとすればよい。警報装置は、例えば、音による警報を発するブザー、光による警報を発するランプを有するものとすればよい。ブザー、ランプ等の警報素子は、付設ユニットに配置してもよい。
【００２８】
第１、第２のタイプの商品盗難監視装置では、付設ユニットは、例えば、可動ロッドの移動を許すように付設面に接着される両面接着テープによって商品に取り付け、その取り付けられた状態を保持するようにすればよい。付設ユニットに商品のジャックコネクタの穴に嵌合でき、可動ロッドの移動を許す孔が設けられた嵌合部をさらに設けておき、この嵌合部を商品のジャックコネクタの穴に嵌合させることによって、付設ユニットを商品に取り付けてもよい。このような嵌合部を設ける場合でも、両面接着テープによってより確実に付設ユニットの商品への取付け状態を維持するようにしてもよい。なお、第３タイプの監視装置では、既述のとおりこのような嵌合部が設けられている。いずれにしても、かかる嵌合部は、後ほどの説明から分かるように、少なくとも先端部が該嵌合部の前記ジャックコネクタの穴への嵌合方向に延びる切り欠きにより２以上に分割されていて弾性復元力に抗して絞り得るものが好ましい。
【００２９】
いずれにしても、付設ユニット取付け用嵌合部は、スイッチに直接に一体的に設ける、接着剤、ネジその他の接続手段でスイッチに直接設ける、或いは他の部材（例えばスイッチを収容する付設ユニットケース）を介してスイッチに間接的に接続するなどして設ければよい。
【００３０】
いずれのタイプの商品盗難監視装置の付設ユニットも、前記スイッチの他に、付設ユニットが商品に取付けられるときに商品のジャックコネクタの穴に少なくとも一部が挿入されるピンをさらに有しており、第２タイプの商品盗難監視装置の付設ユニットはさらに弾性部材を有している。
【００３１】
ピンは、商品のジャックコネクタの穴の内面に接触しつつ、その穴に嵌合できる。商品のジャックコネクタの穴の内面とは、この穴を形づくる内面である。商品のジャックコネクタの穴の内面は、代表的には、このジャックコネクタに本来差し込まれる予定のプラグコネクタの接触子に接触させて、プラグコネクタの接触子との間で電気的接続を確立するために該ジャックコネクタの穴の内部に配置された接触子の面を少なくとも含んでいる。ピンはジャックコネクタ穴内の接触子の面又は該穴内側面（穴内壁面）又はこれら双方に接触しつつジャックコネクタに嵌合できる。
【００３２】
ピンは、ジャックコネクタの穴に挿入できる程度に小さいサイズではあるが、穴の内面に全く接触しないほどに小さいサイズではなく、穴の内面に接触できる程度に大きいサイズである。ピンの少なくとも一部の断面サイズ（例えば直径）を、例えば、商品のジャックコネクタに本来差し込まれる予定のプラグコネクタのジャックコネクタの穴の内部に挿入される部分の最大断面サイズ（例えば最大直径）と同じにすることで、ピンを商品のジャックコネクタの穴の内面に接触させつつ嵌合させることができる。
【００３３】
このようなピンはいずれのタイプの商品盗難監視装置においてもスイッチの可動ロッドの先端側に設けられているが、第１タイプ、第２タイプ、第３タイプの商品盗難監視装置では、可動ロッドとピンとの接続関係等が異なっている。なお、可動ロッドの先端及び後端は、それぞれ付設面の外側方向及び内側方向における可動ロッドの端である。
【００３４】
付設ユニットが商品に取り付けられたときには、ピン全体が商品のジャックコネクタの穴の内部に位置してもよく、さらに可動ロッドの少なくとも一部が穴の内部に位置してもよい。付設ユニットを商品に取り付けたときに可動ロッドの少なくとも一部を穴の内部に位置させる場合には、可動ロッドは穴の内面に接触してもよく、接触しなくてもよい。いずれにしても、付設ユニットを商品に取り付けるときには、ピンの少なくとも一部或いはさらに可動ロッドの少なくとも一部が穴の内部に位置するように、代表的にはピンを先頭にしてピン或いはさらに可動ロッドを穴に挿入する。
【００３５】
ピンと商品のジャックコネクタの穴の内面（例えば穴内面を形成している、プラグコネクタとの接触子の面又は（及び）穴内側面（例えば内周面））とが接触するため、付設ユニットを商品に取り付けるためにピンに対して穴の内側に向かう力（付設面の外側に向かう力）が加えられるとき、並びに、付設ユニットを商品から取り外すためにピンに対して穴の外側に向かう力（付設面の内側に向かう力）が加えられるときのいずれのときも、穴の内部におけるピンのそのときの位置を保持しようとする相互接触抵抗（換言すれば、相互接触による摩擦抵抗）がピンと穴の内面との間に生じる。つまり、穴の内面に接触するピンに対して穴の内側に向かう力が加えられると、それに抗う穴の外側に向かう力もピンにかかる。同様に、穴の内面に接触するピンに対して穴の外側に向かう力が加えられると、それに抗う穴の内側に向かう力もピンにかかる。このようなピンと穴の内面の相互接触抵抗を利用してスイッチの可動ロッドを移動させ、スイッチの接点は開閉される。各タイプの商品盗難監視装置では、既述のように付設ユニットにおけるピンと可動ロッドとの接続関係等が異なっており、スイッチの接点の開閉メカニズムが異なっている。以下、各タイプの商品盗難監視装置について説明する。
【００３６】
§１．２．第１タイプの商品盗難監視装置
第１タイプの商品盗難監視装置においては、ピンは可動ロッドと一体的に移動できるように、可動ロッドの先端側に設けられている。可動ロッドとピンが一体的に移動できるようにこれらを直接的に接続してもよく、他の部材を介して間接的に接続してもよい。或いは、可動ロッドとピンは一体的に形成されたものとしてもよい。
【００３７】
既述のようにピンの少なくとも一部が監視対象商品のジャックコネクタの穴の内部に位置するように、付設ユニットは商品に取り付けられる。商品のジャックコネクタの穴に挿入されるピンが、既述のようにその穴の内面と接触するため、第１タイプの商品盗難監視装置のスイッチは次のように動作させることができる。
【００３８】
付設ユニットを商品に取り付けるためにピンが商品のジャックコネクタの穴に挿入されるとき、ピンと穴の内面の間の相互接触抵抗により、ピン及び可動ロッドが一体的に付設面の内側に向けて押し込まれる。さらに詳しく言うと、ピンを商品のジャックコネクタの穴に挿入するときには、ピンと穴の内面が接触するため、ピンと穴の内面の間に接触抵抗が生じる。その接触抵抗によりピンが挿入されるのに抗う力、換言すれば、穴の内部におけるピンのそのときの位置を保持しようとする力が、ピンひいては可動ロッドにかかる。このピンを挿入するときの抗力は、ピンの挿入方向（可動ロッドの移動可能方向＝付設面の外側に向かう方向）と逆方向（＝付設面の内側に向かう方向）に向くため、ピン及び可動ロッドは付設面の内側に向けて押し込まれる。その結果、スイッチの接点が閉じられる。代表的には、このように可動ロッドが付設面の内側に押し込まれて、可動ロッドがその可動範囲の限界に達した後、さらに付設ユニットが商品に近づく方向に押されると、ピンが穴の奥の方に押し込まれていく。
【００３９】
付設ユニットが商品に取り付けられた状態のときには、ピンと商品のジャックコネクタの穴の内面の間の相互接触抵抗により穴の内部におけるピンの位置が保持され、可動ロッドが付設面の内側に向けて押し込まれた状態が保持されて、スイッチの接点の閉じた状態が保持される。たとえバネ等によって可動ロッドに対して付設面の外側に向かう付勢力が加えられていても、穴の内面とピンの間の相互接触抵抗により生じる抗力の方が付勢力よりも大きければ、接点が閉じられた状態を維持することができる。
【００４０】
このように付設ユニットが監視対象商品に取り付けられた後、盗人が意図的に付設ユニットを商品から取り外すとき、或いは偶発的に付設ユニットが商品から外れたときなどには、スイッチの接点は次のように開く。
【００４１】
付設ユニットが商品から離れる方向に引っ張られて付設ユニットが商品から取り外されるときには、ピンと商品のジャックコネクタの穴の内面の相互接触抵抗により、ピン及び可動ロッドが一体的に付設面の外側に向けて引っ張られて、スイッチの接点が開く。さらに詳しく言うと、ピンが商品のジャックコネクタの穴から抜かれるときには、ピンが穴に挿入されるときと同様に、ピンと穴の内面の間の接触抵抗によって、ピンが穴から抜かれるのに抗う力（換言すれば、穴の内部におけるピンのそのときの位置を保持しようとする力）が、ピンひいては可動ロッドにかかる。このピンが抜かれるときの抗力は、ピンが挿入されるときとは逆に、付設面の外側に向かう方向に向くため、ピン及び可動ロッドは付設面の外側に向けて引っ張られ、スイッチの接点が開く。代表的には、このように可動ロッドが付設面の外側に引っ張られて可動ロッドがその可動範囲の限界に達した後、さらに付設ユニットが商品から離れる方向に引っ張られると、ピンが穴から引き抜かれ、付設ユニットを商品から取り外すことができる。
【００４２】
これらにより、スイッチの接点の開閉状態に基づき、付設ユニットが商品に取り付けられているか否かを検出することができる。既述のように少なくともスイッチの接点が開いているときに、警報装置から警報が発せられる。
【００４３】
§１．３．第２タイプの商品盗難監視装置
第２タイプの商品盗難監視装置の付設ユニットは、既述のようにスイッチ、ピン及び弾性部材を有している。
【００４４】
弾性部材は可動ロッドの移動可能方向に伸縮可能であり、例えばコイルバネ等のバネやゴム部材などとすればよい。
【００４５】
第２タイプの商品盗難監視装置のピンは、商品のジャックコネクタの穴の内面に接触しつつ、その穴に嵌合できるという点では、第１タイプの商品盗難監視装置のピンと同様である。
【００４６】
しかし、第１タイプの商品盗難監視装置のピンが可動ロッドと一体的に移動するのに対して、第２タイプの商品盗難監視装置のピンは、可動ロッドの移動可能方向に可動ロッドに対して相対的に移動できる。また、可動ロッドとピンとが所定距離よりも大きく離れないように、ピンの可動ロッドに対する相対的移動範囲は規制されている。例えば、ピンに係合部を設けるとともに、この係合部に係合する係合部を可動ロッド自身又は可動ロッドと一体的に移動する部材（可動ロッドとの相対的な位置関係がかわらない部材）に設けることで、上記のようにピンの可動ロッドに対する相対的移動範囲を規制すればよい。
【００４７】
第２タイプの商品盗難監視装置においては、ピンが付設面の内側に向けて押されると、弾性部材を介して可動ロッドを付設面の内側に向けて押すことができるように、弾性部材及びピンは可動ロッドの先端側に設けられている。したがって、可動ロッドを付設面の外側に向けて押すと、弾性部材を介してピンを付設面の外側に向けて押すこともできる。例えば後端側に開口部を有する空孔をピンに設けておき、その空孔の内部に弾性部材を配置すればよい。
【００４８】
既述のようにピンの少なくとも一部が監視対象商品のジャックコネクタの穴の内部に位置するように、付設ユニットは商品に取り付けられる。第２タイプの商品盗難監視装置のスイッチは次のように動作させることができる。
【００４９】
付設ユニットを商品に取り付けるためにピンが商品のジャックコネクタの穴に挿入されるとき、ピンと穴の内面の間の相互接触抵抗（換言すれば、相互接触による摩擦抵抗）により、ピンが弾性部材を介して可動ロッドを付設面の内側に向けて押し込んで、スイッチの接点が閉じられる。代表的には、このように可動ロッドが付設面の内側に押し込まれて、可動ロッドがその可動範囲の限界に達した後、さらに付設ユニットが商品に近づく方向に押されると、弾性部材が圧縮されるとともに、ピンが穴の奥の方に押し込まれていく。
【００５０】
付設ユニットが商品に取り付けられた状態のときには、ピンと商品のジャックコネクタの穴の内面の間の相互接触抵抗により、穴の内部における該ピンの位置が保持される。これにより、縮んだ弾性部材を介してピンが可動ロッドを付設面の内側に向けて押し込んだ状態を保持することができ、スイッチの接点の閉じた状態が保持される。
【００５１】
このように付設ユニットが監視対象商品に取り付けられた後、盗人が意図的に付設ユニットを商品から取り外すとき、偶発的に付設ユニットが商品から外れたときなどには、スイッチの接点は次のように開く。
【００５２】
付設ユニットが商品から離れる方向に引っ張っられて商品から取り外されるときにおいて、可動ロッドとピンとが所定距離よりも大きく離れないように規制がかかるまでは、ピンと穴の内面の間の相互接触抵抗によりピンの穴の内部における位置が保持されるとともに、弾性部材が伸びていくこと（弾性部材がその弾力で復元していくこと）により可動ロッドが付設面の内側に押し込まれている状態が保持されて、スイッチの接点の閉じた状態が保持される。
【００５３】
可動ロッドとピンとが所定距離よりも大きく離れないように規制がかかった後、付設ユニットがさらに商品から離れる方向に引っ張られると、ピンと穴の内面の相互接触抵抗により、可動ロッドが付設面の外側に引っ張られて、スイッチの接点が開く。
【００５４】
これらにより、スイッチの接点の開閉状態に基づき、付設ユニットが商品に取り付けられているか否かを検出することができる。既述のように少なくともスイッチの接点が開いているときに、警報装置から警報が発せられる。
【００５５】
§１．４．第３タイプの商品盗難監視装置
第３タイプの商品盗難監視装置は既述のようにスイッチ、ピン及び該スイッチに接続された付設ユニット取付け用嵌合部を備えている。
【００５６】
ピンは、スイッチの可動ロッドの移動可能方向に該可動ロッドに対して相対的に移動可能に該可動ロッドに連結されている。該相対的に移動可能の距離は予め定められた所定の距離だけである。換言すれば、ピンは可動ロッドに対し相対的に移動可能であり、その相対的移動可能範囲が該所定距離に規制されている。
例えば、ピンに係合部を設けるとともに、この係合部に係合する係合部を可動ロッド自身又は可動ロッドと一体的に移動する部材（可動ロッドとの相対的な位置関係がかわらない部材）に設けることで、上記のようにピンの可動ロッドに対する相対的移動範囲を規制すればよい。なお、ピンと可動ロッドの連結は、ピンが可動ロッドに直接的に連結されていてもよく、上記のように他の部材を介して連結されていてもよい。
【００５７】
この第３タイプの監視装置においては、該ピンが商品のジャックコネクタの穴に挿入されるとともに付設ユニット取付け用嵌合部が該ジャックコネクタの穴に嵌合されることで該商品に付設ユニットが取り付けられる。
【００５８】
該ピンが該穴に挿入されるとき、該ピンと該穴の内面の間の相互接触抵抗により、該ピンが該可動ロッドに対して前記所定距離の範囲内で該可動ロッド側へ相対的に移動した後、該ピン及び可動ロッドが該付設面の内側に向けて押し込まれて該スイッチの接点が閉じられ、
付設ユニットが商品に取り付けられた状態のときには、付設ユニット取付け用嵌合部がジャックコネクタの穴に嵌着されることで、付設ユニットが商品に対し位置決めされ、ピンと該穴の内面の間の相互接触抵抗により該穴の内部における該ピンの位置が保持され、該可動ロッドが該付設面の内側に向けて押し込まれた状態が保持されて、該スイッチの接点の閉じた状態が保持される。
【００５９】
付設ユニットが該商品から離れる方向に引っ張られて該商品から取り外されるときには、該付設ユニット取付け用嵌合部が該商品のジャックコネクタの穴から引き抜かれる。このとき、可動ロッドが該ピンに対し前記所定距離の範囲内で相対的に移動し終わるまでは該ピンの該穴内部における位置が該ピンと該穴の内面の間の相互接触抵抗により保持される。そしてこの間に可動ロッドが該付設面の内側から外側へ向け付勢され該スイッチの接点が開かれる。可動ロッドがピンに対し前記所定距離の範囲内で相対的に移動し終わった後、該付設ユニットがさらに該商品から離れる方向に引っ張られると該ピンが該商品から取り外される。
【００６０】
これらにより、スイッチの接点の開閉状態に基づき、付設ユニットが商品に取り付けられているか否かを検出することができる。既述のように少なくともスイッチの接点が開いているときに、警報装置から警報が発せられる。
【００６１】
§１．５．
以上説明したいずれのタイプの商品盗難監視装置にも次の利点がある。すなわち、付設ユニットが監視対象商品に取り付けられているときには、付設ユニットの商品への取付け状態を検出するためのスイッチの可動ロッドの先端側に設けられたピンの先端は、商品のジャックコネクタの穴の内部に位置する。したがって、付設ユニットが商品に取り付けられている状態から、可動ロッドが付設面の外側に移動しないようにピンひいては可動ロッドを薄板等により押さえこんでから、つまり、スイッチの接点が開かないようにピンを押さえこんでから、したがって、警報が発せられないようにピンを押さえこんでから、付設ユニットを商品から取り外すことは極めて難しい。それだけ信頼性高く、確実に付設ユニットが商品から外れたことをスイッチは検出することができ、警報装置は商品の万引き等がなされたときにはそれだけ信頼性高く、確実に警報を発することができる。
【００６２】
付設ユニットを商品に取り付けたときに、仮に商品のジャックコネクタの穴の底面によってスイッチの可動ロッドを付設面の内側に押し込み、スイッチの接点を閉じる構造とすると、そのジャックコネクタの穴に底面がなければ付設ユニットの商品への取付け状態をスイッチにより検出することができない。これに対して、本発明に係る商品盗難監視装置においては、ピンと商品のジャックコネクタの穴の内面の接触抵抗によりスイッチの接点が開閉されるため、たとえ商品のジャックコネクタの穴に底面がなくても付設ユニットの商品への取付け状態を検出することができる。
【００６３】
商品のジャックコネクタの穴に底面がある場合であっても、商品の種類や、同じ種類の商品であってもそのメーカー等によって、その穴の入口から底面に至る長さが異なる可能性があり、上記のように仮に穴の底面によって可動子を付設面の内側に押し込み、スイッチの接点を閉じる構造とすれば、可動ロッドやピン等の長さを穴の入口から底面までの長さに応じた適切な長さとする必要がある。これに対して、本発明に係る商品盗難監視装置においては、可動ロッド及びピンの全体の長さは、穴の底面に届くほど長くなくてもよい。付設ユニットが商品に取り付けられたときにピンの先端が穴の底面に接触しない程度の長さに可動ロッド及びピンの全体の長さを調整しておけば、穴の入口から底面までの長さが商品の機種等によって多少変動しても、いずれの機種の商品についても同じ付設ユニットを用いて付設ユニットの商品への取付け状態を検出することができる。
【００６４】
例えば、付設ユニットが商品に取り付けられた状態における商品のジャックコネクタの穴の内部に挿入されたピンの先端から穴の入口までの長さ（換言すれば、穴の内部に挿入された付設ユニット部分の長さ）が、該ジャックコネクタに本来差し込まれる予定のプラグコネクタが該ジャックコネクタに差し込まれた状態におけるプラグコネクタの先端から穴の入口までの長さ（換言すれば、穴の内部に挿入されたプラグコネクタ部分の長さ）よりも短くても、付設ユニットの商品への取付け状態を検出することができる。また、このように商品のジャックコネクタの穴の内部に挿入される付設ユニット部分（少なくともピンの一部を含む）の長さを短くすれば、可動ロッドやピン等の破損も抑制できる。
【００６５】
第１タイプの商品盗難監視装置においては、可動ロッドがピンと一体的に移動するため、第２タイプの商品盗難監視装置に比べて検出感度高く、付設ユニットの商品への取付け状態をスイッチにより検出することができる。第３タイプの監視装置では、嵌合部をジャックコネクタの穴から外そうとするとスイッチの可動ロッドが付設面の外側へ向け付勢されスイッチ接点が開いてしまうので、第２タイプの商品盗難監視装置に比べて検出感度高いと言える。また、第１タイプの商品盗難監視装置の付設ユニットは、第２、第３タイプの商品盗難監視装置の付設ユニットよりも構造が簡単であり、それだけ安価に提供することができる。
【００６６】
第２タイプの商品盗難監視装置においては、付設ユニットが商品から取り外されるとき、可動ロッドとピンとが所定距離よりも大きく離れないように規制がかかるまでは、スイッチの接点が閉じられた状態が保持され、警報が発せられない。つまり、第２タイプの商品盗難監視装置においては、付設ユニットが商品に取り付けられているときの可動ロッド位置から、可動ロッドが穴の外側に向けて移動して、可動ロッドとピンとが所定距離よりも大きく離れないように規制がかかる可動ロッド位置までの距離（マージン距離）分だけ、警報が発せられないマージンがある。このようなマージン距離を設けたことにより次の利点がある。付設ユニットを両面接着テープによって商品に取り付ける場合等には、客がその商品を手にとるなどしたときに、その客が付設ユニットを商品から取り外そうという気がなくても、付設ユニットが（付設ユニットの一部が）商品から若干離れてしまうこともあり、このようなときに警報が発せられるとかえって不都合である。マージン距離が設けられていれば、付設ユニットが商品から若干離れただけでは警報が発せられず、したがって警報の誤報を抑制できる。マージン距離は例えば１ｍｍ程度〜３ｍｍ程度にすればよい。
【００６７】
既述のようにピンを商品のジャックコネクタの穴に挿入して、付設ユニットを商品に取り付けたときには、ピンは穴の内面（例えばジャックコネクタの穴の内部に配置された接触子の面）と接触する。したがって、付設ユニットが商品に取り付けられたときに、ピンの材質、可動ロッドの材質、スイッチの内部構造（接点開閉構造等）、警報装置の回路構成等にもよるが、警報装置から可動ロッド等を介して商品に漏れ電流が流れ込んでしまうことがある。このような漏れ電流が発生すると、商品（例えば商品の電気回路）の破損の恐れもあり、また、警報装置においてバッテリを用いている場合にはバッテリの寿命が短くなってしまうこともある。このような漏れ電流を防止するために、第１、第２のタイプの監視装置では、付設ユニットが商品に取り付けられた状態において、可動ロッドと商品のジャックコネクタの穴の内面とが電気的に絶縁されるようにしてもよい。このようにすれば、たとえスイッチの接点を構成する接点片と可動ロッドが接触しても、漏れ電流を防止できる。
【００６８】
このように漏れ電流を防止することが好ましい一方において、商品のジャックコネクタの穴の内部に挿入される付設ユニット部分（ピン等）の破損を抑制するために、ピン等はある程度の機械的強度のある材料、例えば金属（したがって導電性）からなるものが好ましい。これらを両立させるなどのために例えば次のようにしてもよい。第１タイプの商品盗難監視装置においては、例えば、可動ロッドとピンのいずれも金属製として、これらを絶縁部材を介して接続すればよい。この場合、ピンが商品のジャックコネクタの穴に挿入されたときに金属製（導電性）可動ロッドが穴の内面と接触しても、漏れ電流が発生する恐れがあるので、付設ユニットを商品に取り付けたときに可動ロッドと商品のジャックコネクタの穴の内面が接触しないようにしてもよい。例えば、付設ユニットを商品に取り付けたときに可動ロッドが商品のジャックコネクタの穴の内部に挿入されない構造として、導電性可動ロッドと穴の内面とが接触しないようにすればよい。付設ユニットを商品に取り付けたときに、可動ロッドの少なくとも一部が穴の内部に挿入される場合には、可動ロッドのサイズを穴の内面に接触しないサイズにすることで、金属製（導電性）可動ロッドと穴の内面とが接触しないようにしてもよい。
【００６９】
付設ユニットを商品に取り付けたときに、ピンが商品のジャックコネクタの穴の内部に配置された異なる電位の二以上の接触子に接触する場合等には、商品の内部回路を短絡してしまわないように、ピンは絶縁性とすることが好ましい。
【００７０】
第３タイプの商品盗難監視装置においても、同様の理由から、前記付設ユニットが前記商品に取り付けられた状態において前記可動ロッドと該商品のジャックコネクタの穴の内面とが電気的に絶縁されていることが好ましく、また、前記ピンは電気絶縁性材料から形成されていることが望ましい。
【００７１】
また、第３タイプの監視装置においては、前記付設ユニット取付け用嵌合部は少なくとも先端部が該嵌合部の前記ジャックコネクタの穴への嵌合方向に延びる切り欠きにより２以上に分割されていて弾性復元力に抗して絞り得る（換言すれば径を縮め得る）ものが望ましい。このような嵌合部は、かかる分割部分の径を大きめに形成しておくことで、より広範囲のサイズのジャックコネクタ穴に対応して嵌着可能であり、しかも、該嵌合部をしっかりと該穴に嵌着することができる。
【００７２】
§２．付設ユニット
本発明は、上記述べた第１、第２及び第３タイプ商品盗難監視装置においてそれぞれで用いる第１、第２及び第３の三つのタイプの付設ユニットも提供する。
【００７３】
（１）第１タイプの付設ユニットは、
ジャックコネクタを有する商品の盗難を監視するための商品盗難監視装置において用いられ、所定付設面が該商品に臨むように該商品に取り付けられる付設ユニットであって、
スイッチ及びピンを備えており、
該スイッチは、該付設ユニットが該商品に取り付けられているか否かを検出するためのものであり、該付設面の内側から外側及び外側から内側に向けて直線的に移動可能な可動ロッドと、該可動ロッドの位置に応じて開閉し、該可動ロッドが該付設面の内側に向けて押し込まれると閉じる接点とを有しており、
該ピンは、該可動ロッドと一体的に移動できるように該可動ロッドの先端側に設けられているとともに、該商品のジャックコネクタの穴の内面に接触しつつ該穴に嵌合でき、
該ピンの少なくとも一部が該商品のジャックコネクタの穴の内部に位置するように、該付設ユニットは該商品に取り付けられ、
該付設ユニットを該商品に取り付けるために該ピンが該穴に挿入されるとき、該ピンと該穴の内面の間の相互接触抵抗により、該ピン及び該可動ロッドが一体的に該付設面の内側に向けて押し込まれて、該スイッチの接点が閉じられ、
該付設ユニットが該商品に取り付けられた状態のときには、該ピンと該穴の内面の間の相互接触抵抗により該穴の内部における該ピンの位置が保持され、該可動ロッドが該付設面の内側に向けて押し込まれた状態が保持されて、該スイッチの接点の閉じた状態が保持され、
該付設ユニットが該商品から離れる方向に引っ張られて該商品から取り外されるときには、該ピンと該穴の内面の相互接触抵抗により、該ピン及び該可動ロッドが一体的に該付設面の外側に向けて引っ張られて、該スイッチの接点が開くことを特徴とする付設ユニットである。
【００７４】
（２）第２タイプの付設ユニットは、
ジャックコネクタを有する商品の盗難を監視するための商品盗難監視装置において用いられ、所定付設面が該商品に臨むように該商品に取り付けられる付設ユニットであって、
スイッチ、弾性部材及びピンを備えており、
該スイッチは、該付設ユニットが該商品に取り付けられているか否かを検出するためのものであり、該付設面の内側から外側及び外側から内側に向けて直線的に移動可能な可動ロッドと、該可動ロッドの位置に応じて開閉し、該可動ロッドが該付設面の内側に向けて押し込まれると閉じる接点とを有しており、
該弾性部材は該可動ロッドの移動可能方向に伸縮可能であり、
該ピンは該可動ロッドの移動可能方向に該可動ロッドに対して相対的に移動できるとともに、該商品のジャックコネクタの穴の内面に接触しつつ該穴に嵌合でき、
該弾性部材及び該ピンは、該ピンが該付設面の内側に向けて押されると、該弾性部材を介して該可動ロッドを該付設面の内側に向けて押すことができるように、該可動ロッドの先端側に設けられており、
該可動ロッドと該ピンとが所定距離よりも大きく離れないように、該ピンの該可動ロッドに対する相対的移動範囲は規制されており、
該ピンの少なくとも一部が該商品のジャックコネクタの穴の内部に位置するように、該付設ユニットは該商品に取り付けられ、
該付設ユニットを該商品に取り付けるために該ピンが該穴に挿入されるとき、該ピンと該穴の内面の間の相互接触抵抗により、該ピンが該弾性部材を介して該可動ロッドを該付設面の内側に向けて押し込んで、該スイッチの接点が閉じられ、
該付設ユニットが該商品に取り付けられた状態のときには、該ピンと該穴の内面の間の相互接触抵抗により該穴の内部における該ピンの位置が保持され、該ピンが圧縮された該弾性部材を介して該可動ロッドを該付設面の内側に向けて押し込んだ状態が保持されて、該スイッチの接点の閉じた状態が保持され、
該付設ユニットが該商品から離れる方向に引っ張られて該商品から取り外されるときには、該可動ロッドと該ピンとが前記所定距離よりも大きく離れないように規制がかかるまでは、該ピンと該穴の内面の間の相互接触抵抗により該ピンの該穴の内部における位置が保持されるとともに、該弾性部材がその弾力で復元していくことにより該可動ロッドが該付設面の内側に押し込まれている状態が保持されて、該スイッチの接点の閉じた状態が保持され、
該可動ロッドと該ピンとが前記所定距離よりも大きく離れないように規制がかかった後、該付設ユニットがさらに該商品から離れる方向に引っ張られると、該ピンと該穴の内面の相互接触抵抗により、該可動ロッドが該付設面の外側に引っ張られて、該スイッチの接点が開くことを特徴とする付設ユニットである。
（３）第３タイプの付設ユニットは、
ジャックコネクタを有する商品の盗難を監視するための商品盗難監視装置において用いられ、所定付設面が該商品に臨むように該商品に取り付けられる付設ユニットであって、
スイッチ、ピン及び該スイッチに接続された付設ユニット取付け用嵌合部を備えており、
該スイッチは、該付設ユニットが該商品に取り付けられているか否かを検出するためのものであり、該付設面の内側から外側及び外側から内側に向けて直線的に移動可能で該付設面の内側から外側へ向け付勢されている可動ロッドと、該可動ロッドの位置に応じて開閉し、該可動ロッドが該付設面の内側に向けて押し込まれると閉じる接点とを有しており、
該ピンは該可動ロッドの移動可能方向に該可動ロッドに対して相対的に所定距離だけ移動可能に該可動ロッドに連結されていて該商品のジャックコネクタの穴の内面に接触しつつ該穴に嵌合でき、
該付設ユニット取付け用嵌合部は該可動ロッドの前記直線的移動を許すように該可動ロッドに外嵌していて該商品のジャックコネクタの穴に引き抜き可能に嵌合でき、
該ピンが該商品のジャックコネクタの穴に挿入されるとともに該付設ユニット取付け用嵌合部が該ジャックコネクタの穴に嵌合されることで該商品への取付けが可能であり、
該付設ユニットを該商品に取り付けるために該ピンが該穴に挿入されるとき、該ピンと該穴の内面の間の相互接触抵抗により、該ピンが該可動ロッドに対して前記所定距離の範囲内で該可動ロッド側へ相対的に移動した後、該ピン及び可動ロッドが該付設面の内側に向けて押し込まれて該スイッチの接点が閉じられ、
該付設ユニットが該商品に取り付けられた状態のときには、該ピンと該穴の内面の間の相互接触抵抗により該穴の内部における該ピンの位置が保持され、該可動ロッドが該付設面の内側に向けて押し込まれた状態が保持されて、該スイッチの接点の閉じた状態が保持され、
該付設ユニットが該商品から離れる方向に引っ張られて該商品から取り外されるときには、該付設ユニット取付け用嵌合部が該商品のジャックコネクタの穴から引き抜かれるとともに、該可動ロッドが該ピンに対し前記所定距離の範囲内で相対的に移動し終わるまでは該ピンの該穴内部における位置が該ピンと該穴の内面の間の相互接触抵抗により保持され、この間に該可動ロッドが該付設面の内側から外側へ向け付勢され該スイッチの接点が開かれ、該可動ロッドが該ピンに対し前記所定距離の範囲内で相対的に移動し終わった後、該付設ユニットがさらに該商品から離れる方向に引っ張られると該ピンが該商品から取り外されることを特徴とする付設ユニットである。
【００７５】
第１、第２又は第３タイプの付設ユニットを商品盗難監視装置において用いることで、既述の効果が得られる。商品盗難監視装置の説明の中で、付設ユニットに関連して述べたことは上記第１、第２又は（及び）第３タイプの付設ユニットについても同様のことが言える。
【００７６】
【発明の実施の形態】
§３．
以下、本発明の実施の形態を図面を参照して説明する。図１に本発明に係る商品盗難監視装置の一例の概略構成図を示す。
【００７７】
図１の商品盗難監視装置ＡＰ１により万引き等されないように監視する商品８は、本例では、ポータブルＭＤプレイヤである。このＭＤプレイヤ（商品）８は、イヤホン７又はヘッドホンのプラグコネクタ７１を差し込むためのジャックコネクタ８１を有している。なお、ジャックコネクタ８１は例えば３．５φジャックと呼ばれるものである。
【００７８】
図２及び図３に商品８のジャックコネクタ８１の概略断面図と、このジャックコネクタ８にイヤホン７のプラグコネクタ７１が差し込まれた状態の概略断面図をそれぞれ示す。
【００７９】
商品８のジャックコネクタ８１にはプラグコネクタ７１が差し込まれる穴８１ｈがあり、この穴８１ｈの内部には接触子８１１と８１２が配置されている。ジャックコネクタ８１にプラグコネクタ７１が差し込まれると、ジャックコネクタ８１の接触子８１１と８１２はそれぞれプラグコネクタ７１の接触子７１１と７１２に接触する。これにより、ジャックコネクタ８１とプラグコネクタ７１の電気的な接続がなされる。
【００８０】
商品８のジャックコネクタ８１はこのような電気的接続のために本来設けられているが、商品盗難監視装置ＡＰ１は商品８のジャックコネクタ８１を利用して、さらに言うと、ジャックコネクタ８１の穴８１ｈの内面を利用して、商品８が万引き等されないように監視する。商品８のジャックコネクタ８１の穴８１ｈの内面は、本例では、接触子８１１、８１２等によって形成されている。
【００８１】
商品盗難監視装置ＡＰ１は、図１に示すように、警報装置ＡＤと、付設ユニット（付設部）ＡＵ１とを備えている。本例では、三つの商品（ポータブルＭＤプレイヤ）８を監視するために、三つの付設ユニットＡＵ１を商品盗難監視装置ＡＰ１は備えている。付設ユニットＡＵ１は商品８に取り付けられ、警報装置ＡＤは付設ユニットＡＵ１の商品８への取付け状態に応じて、代表的には付設ユニットＡＵ１が商品８から取り外されたときに警報を発する。
【００８２】
付設ユニットＡＵ１の概略断面図を図４（Ａ）及び（Ｂ）に示す。付設ユニットＡＵ１は、付設ユニットＡＵ１が監視対象商品８に取り付けられているか否かを検出するためのスイッチ３を有している。スイッチ３は、中空の付設ユニットケース４１の内部に配置されており、図示を省略した接着剤によってケース４１の内面に接着されている。付設ユニットＡＵ１を商品８に取り付けたときにその商品８に臨む付設面は、本例では図４（Ａ）及び（Ｂ）においてケース４１の下側面４２である。
【００８３】
スイッチ３は、可動ロッド３３と、可動ロッド３３の位置に応じて開閉する接点３ｃを有している。接点３ｃは固定接点片３１と可動接点片３２とからなる。これら接点片３１及び３２の一部はスイッチケース３４の外部に突出している。接点片３１と３２の突出部分には、コード２の電線２１と２２がそれぞれ接続されている。コード２によってスイッチ３の接点情報（検出情報）は警報装置ＡＤに伝送され、警報装置ＡＤは入力されるスイッチ３の検出情報（接点情報）に基づき警報を発する。
【００８４】
可動ロッド３３の先端部３３ｅは、スイッチケース３４に設けられた孔３４ａ及び付設ユニットケース４１に設けられた孔４１ａを介して付設面４２の外側に突出している。可動ロッド３３は、スイッチケース３４の孔３４ａの内壁に案内されて、付設面４２の内側から外側（図４（Ａ）において上側から下側）及び外側から内側に向けて直線的に移動できる。
【００８５】
可動ロッド３３が付設面４２の内側に向けて押し込まれると、接点３ｃの可動接点片３２が変形して、図４（Ｂ）に示すように接点片３２と３１が接触し、接点３ｃが閉じる。可動接点片３２は板バネを兼ねており、可動ロッド３３を付設面４２の外側に向けて押している。このような板バネ（可動接点片）３２による付勢力以外の外力が可動ロッド３３にかかっていないときには、図４（Ａ）に示すように接点片３１と３２は接触しておらず、接点３ｃは開いている。
【００８６】
可動ロッド３３は、そのヘッド部３３ｈがスイッチケース３４の内面に当接する位置（図４（Ａ）参照）と、接点片３１と３２とが接触する位置（図４（Ｂ）参照）との間で移動できる。
【００８７】
可動ロッド３３の先端部３３ｅには、ジョイント部材５１を介して、可動ロッドの移動方向に延びる円柱状のピン５２が接続されている。本例では、可動ロッド３３とジョイント部材５１は螺合しており、ジョイント部材５１とピン５２は互いに嵌合しているとともに接着剤によって接着されている。これらにより、可動ロッド３３、ジョイント部材５１及びピン５２は一体的に移動できる。このように一体的に移動可能な可動ロッド３３、ジョイント部材５１及びピン５２の機械的強度を高めるなどのために、本例では可動ロッド３３は黄銅製であり、ピン５２も金属製である。ジョイント部材５１は本例では樹脂からなる。
【００８８】
以上説明した商品盗難警報装置ＡＰ１によって商品８が万引き等されないように監視するときには、図５（Ｃ）に示すように、ピン５２が商品８のジャックコネクタ８１の穴８１ｈの内部に位置するようにピン５２を穴８１ｈに挿入して、付設ユニットＡＵ１を商品８に取り付ける。ピン５２を穴８１に挿入しやすいように、ピン５２の先端部には丸みが付けられている。本例では、両面接着テープ４４によって付設ユニットＡＵ１を商品８に貼り付け、付設ユニットＡＵ１が商品８に取り付けられた状態を保持する。両面接着テープ４４の一方の面は付設ユニットＡＵ１の付設面４２に接着され、他方の面は商品面に接着される。接着テープ４４には孔４４ａが設けられており、この孔４４ａを通して可動ロッド３３とピン５２は一体的に移動できる。
【００８９】
付設ユニットＡＵ１を商品８に取り付けるためにピン５２が商品のジャックコネクタ８１の穴８１ｈに挿入されるときには、次のようにスイッチ３の接点３ｃが閉じられる。
【００９０】
穴８１ｈに挿入されるピン５２のサイズは、穴８１ｈの内面に接触するサイズに設定されている。なお、穴８１ｈの内面は、既述のように本例では穴８１ｈの内部に配置された接触子８１１の面等である。具体的には、既述のようにジャックコネクタ８１は本例では３．５φジャックであるので、ピン５２の直径（最大直径）は本例では３．５ｍｍとしている。つまり、このジャックコネクタ８１に本来差し込まれるプラグコネクタ７１の接触子７１１の直径と同じサイズにピン５２の直径は設定されている。
【００９１】
このようなサイズにピン５２のサイズが設定されているため、図５（Ａ）及び（Ｂ）に示すように指等によって力Ｆ１　を付設ユニットＡＵ１にかけて、ピン５２を商品８のジャックコネクタ８１の穴８１に挿入するときには、ピン８１と穴の内面（本例では接触子８１１）が接触して、ピン５２と穴の内面の間に相互接触による摩擦抵抗（相互接触抵抗）が生じる。この接触抵抗によりピン５２が挿入されるのに抗う力Ｆ２　がピン５２、ひいては可動ロッド３３にかかり、この抗力Ｆ２　は可動ロッド３３を付設面４２の内側に向けて押す。可動ロッド３３には可動ロッドを付設面４２の外側に押す板バネ（可動接点片）３２による付勢力Ｆ０　もかかっているが、Ｆ２　＞Ｆ０　となる板バネ３２（スイッチ３）が採用されているため、可動ロッド３３は付設面４２の内側に押し込まれる。その結果、可動接点片（板バネ）３２が変形して、接点片３１と３２が接触し、スイッチ３の接点３ｃが閉じる。
【００９２】
接点片３１と３２が接触した後にさらにピン５２を穴８１ｈの内部に押し込む力が付設ユニットＡＵ１に加えられると、図５（Ｃ）に示すようにピン５２は穴８１ｈの奥の方へ押し込まれる。このように付設ユニットＡＵ１を商品８に取り付けるときには、ピン５２は穴８１ｈの内面に接触しつつ穴８１ｈに挿入され、最終的には穴８１に嵌合する。
【００９３】
図５（Ｃ）に示すように両面接着テープ４４によって付設ユニットＡＵ１が商品８に取り付けられた状態のときには、ピン５２と穴８１ｈの内面の間の相互接触抵抗により、ピン５２の穴８１ｈ内部における位置が保持され、スイッチ３の接点３ｃが閉じられた状態が保持される。板バネ３２による付勢力Ｆ０　が可動ロッド３３にはかかっているが、ピン５２と穴８１ｈの内面の接触抵抗によって接点３ｃが閉じられた状態が維持される。
【００９４】
このように付設ユニットＡＵ１が監視対象商品８に取り付けられた後に、盗人が商品８を盗むために付設ユニットＡＵ１を商品から取り外すと、スイッチ３の接点３ｃは次のように開く。
【００９５】
図６（Ａ）〜（Ｃ）に示すように付設ユニットＡＵ１が商品８から離れる方向に力Ｆ３　により引っ張られて、ピン５２が商品８のジャックコネクタ８１の穴８１ｈから抜かれるとき、ピン５２と穴の内面の間の相互接触抵抗により、可動ロッド３３が付設面４２の外側に引っ張られて、スイッチ３の接点３ｃが開く。さらに詳しく言うと、ピン５２が穴８１ｈから抜かれるときには、ピン５２を穴に８１ｈに挿入するときと同様に、ピン５２と穴８１ｈの内面の間の接触抵抗によって、ピン５２が穴８１ｈから抜かれるのに抗う力Ｆ４　がピン５２、ひいては可動ロッド３３にかかる。ピン５２が抜かれるときの抗力Ｆ４　は、ピンが挿入されるときとは逆に、付設面４２の外側に向くためピン５２及び可動ロッド３３は付設面４２の外側に向けて引っ張られ、スイッチ３の接点３ｃが開く。図６（Ｂ）に示すように可動ロッド３３のヘッド部３３ｈがスイッチケース３４の内面に係合した後、さらに付設ユニットＡＵ１が引っ張られると、図６（Ｃ）に示すようにピン５２が穴から引き抜かれ、付設ユニットＡＵ１を商品８から取り外すことができる。
【００９６】
図１に示すように商品盗難監視装置ＡＰ１のいずれの付設ユニットＡＵ１も上記のようにそれぞれ商品８に取り付けられ、各付設ユニットＡＵ１のスイッチ３の接点３ｃは閉じた状態にセットされる。この後、付設ユニットＡＵ１が商品８から取り外されて、少なくとも一つの付設ユニットＡＵ１のスイッチ接点３ｃが開くと、警報装置ＡＤは警報を発する。
【００９７】
警報装置ＡＤの一例の回路図を図７に示す。図７の警報装置ＡＤは、警報素子としてブザーＢＺ１及び発光ダイオードランプＬＰ１、並びに、付設ユニットＡＵ１のスイッチ３からケーブル２を介して送られてくる接点情報（検出情報）に基づき警報素子を駆動するための駆動回路を有している。
【００９８】
警報装置ＡＤは、付設ユニットＡＵ１から延びるコード２を接続するためのコネクタ（雌コネクタ）６１を本例では五つ有している。コード２の警報装置ＡＤに接続する側の端部には警報装置ＡＤのコネクタ６１に対応するコネクタ（雄コネクタ、図示省略）が設けられており、コード２を警報装置ＡＤに容易に接続することができる。コード２が接続されないコネクタ６１には、短絡線６２が接続される。
【００９９】
警報装置ＡＤにおいては、各付設ユニットＡＵ１の接点状態に基づき、リレーコイルＲＣの励磁状態や、トランジスタＴｒ１のオン／オフを制御する。これにより、リレー接点ＲＳ１及びＲＳ２の開閉状態を制御し、警報素子への電源ＰＳからの電圧印加を制御する。リレー接点ＲＳ１及びＲＳ２は、いずれもリレーコイルＲＣの励磁状態に応じて開閉する。リレー接点ＲＳ１は三つの端子ＲＳ１ａ、ＲＳ１ｂ、ＲＳ１ｃを有しおり、端子ＲＳ１ｃがコモン端子である。端子ＲＳ１ａとＲＳ１ｃで常開接点が構成されている。また、端子ＲＳ１ｂとＲＳ１ｃで常閉接点が構成されている。もう一方のリレー接点ＲＳ２は常開接点である。
【０１００】
この警報装置ＡＤを使用するときには、各付設ユニットＡＵ１を商品に取り付けて、スイッチの接点３ｃを閉じた後、メインスイッチＭＳＷを閉じる。この初期状態においては、トランジスタＴｒ１はオフしており、リレーコイルＲＣは励磁されておらず、リレー接点ＲＳ２は開いている。したがって、警報素子であるブザーＢＺ１及びランプＬＰ１には電源ＰＳから電圧が印加されておらず、警報は発せられていない。
【０１０１】
初期状態から少なくとも一つの付設ユニットにおける接点３ｃが開くと、トランジタＴｒ１はオンして、リレーコイルＲＣが励磁され、リレー接点ＲＳ２が閉じ、ブザーＢＺ１及びランプＬＰ１に電圧が印加される。これにより、警報素子であるブザーＢＺ１及びランプＬＰ１は警報を発する。リレーコイルＲＣは一度励磁されると、これに電源ＰＳと直列に接続された自己接点ＲＳ２によって励磁状態が保持されるため、トランジスタＴｒ１がオフしても、ブザーＢＺ１及びランプＬＰ１は警報を発し続ける。メインスイッチＭＳＷを切るまで、この警報は継続する。
【０１０２】
なお、初期状態からケーブル２の電線（リード線）２１又は（及び）２２が切断された場合、ケーブル２が警報装置ＡＤのコネクタ６１から引き抜かれた場合等にも、警報が発せられる。
【０１０３】
図７の右側の付設ユニットＡＵ１のように、スイッチ接点３ｃと並列にブザー、ＬＥＤランプ等の警報素子（本例では、ブザーＢＺ２）を接続してもよい。このようにすれば、接点３ｃが閉じているときには、ブザーＢＺ２には電圧が印加されず、警報を発しない。また、接点３ｃが開くとブザーＢＺ２には電源ＰＳから抵抗Ｒ２を介して電圧が印加され、ブザーＢＺ２から警報が発せられる。
【０１０４】
このように警報器を付設ユニットに配置すれば、盗み、万引きが行われる現場にて警報が発せられる。さらに言うと、付設ユニットを商品から外した盗人の手元にて警報が発せられる。警報が盗人の手元から少しでも離れた位置で発せられるよりも、このように盗人の手元にて警報が発せられる方が、盗難、万引きを抑制できることもある。また、この警報によって、盗人に商品を盗もうとする行為が見つかったことを、その盗人にも知らしめることができる。勿論、警報が発せられていることに盗人が気がつかない場所（例えば、商品の展示場所から離れた場所）で警報が発せられるようにしてもよい。
【０１０５】
以上説明した商品盗難監視装置ＡＰ１には次の利点がある。図１６の従来の商品盗難監視装置ＡＰｐにおいては付設ユニットＡＵｐを商品から外してもスイッチ９１の可動ロッド９１１が付設面９２の外側に向けて移動しないように薄板ＴＰで可動ロッド９１１を押さえ込んでから、換言すれば、付設ユニットＡＵｐを商品から外してもスイッチ９１の接点が開かないようにしてから、付設ユニットＡＵｐが商品から外されると、スイッチ９１によって付設ユニットＡＵｐが商品から取り外されたことが検出できない。
【０１０６】
これに対して本発明に係る商品盗難監視装置ＡＰ１によると、付設ユニットＡＵ１が商品８に取り付けられた状態のときには、可動ロッド３３の先端部にジョイント部材５１を介して接続されたピン５２の先端は、商品８の穴８１ｈの内部に位置する。したがって、薄板によって可動ロッド３３が付設面４２の外側に向けて移動しないようにピン５２の先端を押さえこんでから、付設ユニットＡＵ１を商品８から取り外すことは極めて難しい。ピン５２の先端が薄板によって押さえ込める程度にまで付設ユニットＡＵ１が商品８から取り外されたときには、スイッチ３の接点３ｃが既に開いており、警報が発せられている。したがって、本発明に係る商品盗難監視装置ＡＰ１によると、従来の商品盗難監視装置ＡＰｐに比べて、信頼性高く、確実に付設ユニットＡＵ１が商品から取り外されたことを検出でき、付設ユニットＡＵ１が商品から取り外されたときにはそれだけ信頼性高く、確実に警報を発することができる。
【０１０７】
既述のようにピン５２と商品のジャックコネクタの穴８１ｈの内面との接触抵抗により、ピン５２を穴８１ｈの内部に挿入するときには可動ロッド３を付設面４２の内側に押し込んでスイッチ３の接点３ｃが閉じられるとともに、付設ユニットＡＵ１が商品８に取り付けられた状態のときにはスイッチ３の接点３ｃが閉じられた状態が保持される。
【０１０８】
図８（Ａ）に示すようにピン５２′と穴８１ｈの内側面（内周面）を接触させずに、穴８１ｈの底面８１ｂによってピン５２′を介して可動ロッド３３を付設面４２の内側に押し込み、スイッチ３の接点３ｃを閉じることもできる。このようにしても、図８（Ａ）に示す付設ユニットＡＵ１′が商品８から取り外されると、スイッチ３の接点３ｃが開き、付設ユニットＡＵ１′が商品８から取り外されたことをスイッチ３により検出することができる。
【０１０９】
しかし、穴８１ｈの底面８１ｂにより可動ロッド３３を付設面４２の内側に押し込み、スイッチ３の接点３ｃを閉じる構造とする場合には、可動ロッド３３及びピン５２′等の長さを穴８１ｈの深さに応じた適切な長さに設定する必要がある。なぜなら、イヤホン、ヘッドホン等のプラグコネクタを差し込むための商品（本例ではＭＤプレイヤ）８のジャックコネクタ８１の穴８１ｈの深さは、メーカーや機種等によって若干のばらつきがあり、可動ロッド３３及びピン５２′等の長さがの穴８１ｈの深さに対して適切でないと、次のように不具合が生じる。図８（Ｂ）に示すように可動ロッド３３及びピン５２′等の長さが穴８１ｈの深さに対して短すぎると、穴８１ｈの底面８１ｂにより可動ロッド３３を付設面４２の内側に押し込み、スイッチ３の接点３ｃを閉じることができず、スイッチ３により付設ユニットの商品への取付け状態を検出することができない。逆に、図８（Ｃ）に示すように可動ロッド３３及びピン５２′等の長さが穴８１ｈの深さに対して長すぎると、可動ロッド３３を付設面４２の内側に押し込んでスイッチ３の接点３ｃを閉じることはできるが、付設ユニットＡＵ１′を両面接着テープ４４によって商品８に貼り付けることができない。
【０１１０】
これに対して本発明に係る商品盗難監視装置ＡＰ１においては、可動ロッド３３、ジョイント部材５１及びピン５２の全体の長さは、穴８１ｈの底面８１ｂに届くほど長くなくてもよい。本例では、付設ユニットＡＵ１が商品８に取り付けられた状態における商品のジャックコネクタ８１の穴８１ｈの内部に挿入された付設ユニット部分（本例ではピン５２の全体、ジョイント部材５１の全体及び可動ロッド３３の一部）の長さＨ２　（図５（Ｃ）参照）は、この穴８１ｈに本来差し込まれる予定のプラグコネクタ７１が穴８１ｈに差し込まれた状態における穴８１ｈの内部に挿入されたプラグコネクタ７１部分の長さＨ１　（図３参照）よりも短くしている。さらに言うと、本例では、可動ロッド３３やピン５２等の長さは、穴８１ｈの内部に配置された接触子８１１には接触できる長さではあるが、接触子８１２には接触しない長さにしている。したがって、付設ユニットＡＵ１が商品８に取り付けられた状態においても、ピン５２の先端は穴８１ｈの底面８１ｂに当接していない。可動ロッド３３やピン５２等の長さがこのような長さであるので、図９（Ａ）及び（Ｂ）に示すように穴８１ｈの深さが多少変動しても、ピン５２等の長さを変えることなく、付設ユニットＡＵ１の商品８への取付け状態を同じ付設ユニットＡＵ１によって検出することができる。たとえ商品８のジャックコネクタ８１の穴８１ｈに底面がなくても、付設ユニットＡＵ１の商品への取付け状態は付設ユニットＡＵ１によって検出することができる。金属製ピン５２が接触子８１２には接触しないので、ピンを穴８１ｈに挿入してもピン５２により接触子８１１と８１２を短絡してしまうことがない。
【０１１１】
上記のように商品のジャックコネクタ８１の穴８１ｈの内部に挿入される付設ユニットＡＵ１部分の長さを短くすれば、可動ロッド３３やピン５２等の破損も抑制できる。可動ロッド３３やピン５２の破損を抑制するなどのために、既述のようにこれらは金属製である。付設ユニットＡＵ１が商品に取り付けられた状態のときには、金属製したがって導電性のピン５２は、ジャックコネクタ８１の穴８１ｈの内部に配置された接触子８１１と接触するが、ピン５２と可動ロッド３３が絶縁性ジョイント部材５１を介して接続されているため、また、導電性可動ロッド３３は接触子８１１と接触しないサイズであるため、接触子８１１と可動ロッド３３とは電気的に絶縁されており、したがってスイッチ３の接点片３２と接触子８１１とは電気的に絶縁されている。これにより、警報装置ＡＤから可動ロッド３３やピン５２等を介して警報装置ＡＤから商品８に漏れ電流が流れ込んでしまうことが防止される。したがって、商品のジャックコネクタ８１の穴８１ｈにピン５２等を挿入しても、漏れ電流による商品の破損を防止できる。また、図７の警報装置ＡＤにおいては電源ＰＳとして乾電池等のバッテリを採用しても、漏れ電流によるバッテリの消耗も防止できる。
【０１１２】
§４．
本発明に係る付設ユニットの他の例の概略断面図を図１０（Ａ）及び（Ｂ）に示す。図１０（Ａ）及び（Ｂ）の付設ユニットＡＵ２は、図４（Ａ）及び（Ｂ）の付設ユニットＡＵ１と同様に、ジャックコネクタ８１を有する商品８（図２（Ａ）参照）が万引き等されないように監視するときに用いられ、監視対象商品８に取り付けられる。付設ユニットＡＵ２は、付設ユニットＡＵ１と次に述べることを除き同じ構造を有している。付設ユニットＡＵ１とＡＵ２を示す図面においては、同じ機能の部品には同じ参照符号が付してある。
【０１１３】
付設ユニットＡＵ２においては、スイッチ３の可動ロッド３３の先端側には、ジョイント部材５１及びピン５２に代えて、ジョイント部材５３、延長ロッド５４、ピン５５及びコイルバネ５６が設けられている。
【０１１４】
可動ロッド３３はジョイント部材５３を介して延長ロッド５４に接続されている。本例では可動ロッド３３とジョイント部材５３は螺合しており、ジョイント部材５３と延長ロッド５４も螺合している。これらにより、可動ロッド３３、ジョイント部材及び延長ロッド５４は一体的に移動できる。本例では可動ロッド３３及び延長ロッド５４は金属製であり、ジョイント部材５３は樹脂からなり、ピン５５はＡＢＳ樹脂からなる。
【０１１５】
コイルバネ５６はピン５５に設けられた空孔（キャビティ）５５ｃの内部に嵌め込まれている。コイルバネ５６は、この空孔５５ｃ内部において可動ロッド３３の移動可能方向に伸縮可能である。
【０１１６】
ピン５５の空孔５５ｃは、可動ロッド３３の移動可能方向に延びており、後端側に開口５５ａを有している。開口５５ａの直径は空孔５５ｃの直径よりも小さい。延長ロッド５４の先端部５４ｅは、ピン５５の開口５５ａの直径よりも大きく、空孔５５ｃの内部に嵌め込まれている。延長ロッド５４の胴部５４ｂはピン５５の開口５５ａの直径よりも若干小さい。これらにより、ピン５５は延長ロッド５４に対して、したがって可動ロッド３３に対して、可動ロッド３３の移動可能方向に相対的に移動できる。
【０１１７】
ピン５５が可動ロッド３３に対してこれらの間の距離が広がる方向に相対的に移動して、図１０（Ａ）に示すように延長ロッド５４の先端部（係合部）５４ｅが、ピン５５の開口５５ａを有する後端部（係合部）５５ｅに係合すると、ピン５５と可動ロッド３３の間の距離がさらに広がる方向にはピン５５は可動ロッド３３に対して相対的に移動することができなくなる。つまり、ピン５５と可動ロッド３３が所定距離よりも大きく離れないように、換言すれば、ピン５５と可動ロッド３３とが分離しないように、ピン５５の可動ロッド３３に対する相対的移動範囲は規制されている。
【０１１８】
ピン５５の空孔５５ｃの内部に配置されたバネ５６の後端は延長ロッド５４の先端に当接しており、バネ５６の先端は空孔５５ｃの先端側の内面に当接している。したがって、図１０（Ｂ）に示すようにピン５５を付設面４２の内側に押すと、バネ５６を介して延長ロッド５４ひいては可動ロッド３３を付設面４２の内側に押すことができる。付設ユニットＡＵ２においても、図１０（Ｂ）に示すように可動ロッド３３が付設面４２の内側に押し込まれると、スイッチ３の接点３ｃが閉じる。
【０１１９】
以上説明した付設ユニットＡＵ２も、付設ユニットＡＵ１と同様に、図１２（Ａ）に示すようにピン５５が商品８のジャックコネクタ８１の穴８１ｈの内部に位置するようにピン５５を穴８１ｈに挿入して、商品８に取り付けられる。ピン５５を穴８１ｈの内部に挿入しやすいように、ピン５５の先端部には丸みがつけられている。付設ユニットＡＵ２は、両面接着テープ４４によって商品８に貼り付けられる。
【０１２０】
付設ユニットＡＵ２の穴８１ｈに挿入されるピン５５のサイズは、付設ユニットＡＵ１のピン５２のサイズと同様に、穴８１ｈの内面に接触するサイズに設定されている。本例では、商品８のジャックコネクタ８１に本来差し込まれるプラグコネクタ７１の接触子７１１の直径と同じサイズにピン５２の直径（最大直径）は設定されている。
【０１２１】
このようなサイズにピン５５のサイズが設定されているため、付設ユニットＡＵ２が商品８に取り付けられるときや、商品８から取り外されるときには、ピン５５と商品８のジャックコネクタ８１の穴８１ｈの内面（本例では接触子８１１の面等）との接触抵抗によりスイッチ３の可動ロッド３３が次のように移動して、スイッチ３の接点３ｃは次のように開閉する。
【０１２２】
図１１（Ａ）及び（Ｂ）に示すように付設ユニットＡＵ２を商品８に取り付けるために、付設面４２が商品８に近づくように付設ユニットＡＵ２（例えば付設ユニットケース４１）に力を加えて、ピン５５が商品８のジャックコネクタ８１の穴８１ｈに挿入されるときには、ピン５５と接触子８１１の相互接触抵抗により、ピン５５がバネ５６を介して可動ロッド３３を付設面４２の内側に向けて押し込んで、スイッチ３の接点３ｃが閉じられる。
【０１２３】
スイッチ接点３ｃが閉じた後、付設面４２が商品８に近づくように付設ユニットＡＵ２にさらに力が加えられると、可動ロッド３３がバネ５６を介してピン５５を穴８１ｈの奥の方に向けて押し、可動ロッド３３とピン５５が近づいてバネ５６が圧縮されるとともに、ピン５５が穴８１ｈの奥の方に押し込まれる。そして最終的には図１２（Ａ）に示すように両面接着テープ４４が商品８に貼り付く位置までピン５５は穴８１ｈの奥まで押し込まれ、付設ユニットＡＵ２を商品８に取り付けることができる。
【０１２４】
図１２（Ａ）に示すように付設ユニットＡＵ２が商品８に取り付けられた状態のときには、ピン５５と接触子８１１の接触抵抗により、穴８１ｈの内部におけるピン５５の位置が保持される。これにより、圧縮されたバネ５６を介してピン５５が可動ロッド３３を付設面４２の内側に向けて押し込んだ状態を保持することができ、スイッチ３の接点３ｃの閉じた状態が保持される。なお、スイッチ３の板バネ（可動接点片）３２による付勢力よりもピン５５の空孔内に配置されたバネ５６の押圧力の方が大きくなるように設定されている。付設ユニットＡＵ２が商品に取り付けられた状態においては、バネ５６は縮んでおり、ピン５５の後端部（係合部）５５ｅと延長ロッド５４の先端部（係合部）５４ｅは係合していない。
【０１２５】
このように付設ユニットＡＵ２が商品８に取り付けられた後、盗人が意図的に付設ユニットＡＵ２を商品８から取り外すとき、偶発的に付設ユニットＡＵ２が商品から外れたときなどには、スイッチ３の接点３ｃは次のように開く。
【０１２６】
付設ユニットＡＵ２が商品８から離れる方向に引っ張っられて商品８から取り外されるときにおいて、図１２（Ｂ）に示すようにピン５５の係合部５５ｅと延長ロッド５４の係合部５４ｅが係合して、可動ロッド３３とピン５５とが所定距離よりも大きく離れないように規制がかかるまでは、ピン５５と接触子８１１の間の相互接触抵抗によりピン５５の穴８１ｈの内部における位置が保持される。また、付設ユニットＡＵ２が商品８から離れた距離に応じて、圧縮されているバネ５６がその弾力で復元して伸びていくことにより、可動ロッド３３が付設面４２の内側に押し込まれている状態が保持されて、スイッチ３の接点３ｃの閉じた状態が保持される。
【０１２７】
ピン５５の係合部５５ｅと延長ロッド５４の係合部５４ｅが係合した後、付設ユニットＡＵ２がさらに商品８から離れる方向に引っ張られると、ピン５５と接触子８１１の相互接触抵抗により、図１３（Ａ）に示すように可動ロッド３３が付設面４２の外側に引っ張られて、スイッチ３の接点３ｃが開く。
【０１２８】
図１３（Ａ）に示すように可動ロッド３３のヘッド部３３ｈがスイッチケース３４の内面に当接した後、さらに付設ユニットＡＵ２が商品８から離れる方向に引っ張られると、図１３（Ｂ）に示すように可動ロッド３３によりピン５５を直接的に引っ張って、ピン５５を穴８１ｈから引き抜くことができる。
【０１２９】
このように付設ユニットＡＵ２においても、スイッチ３の接点３ｃの開閉状態に基づき、付設ユニットＡＵ２が商品に取り付けられているか否かを検出することができる。
【０１３０】
付設ユニットＡＵ２を用いた商品盗難監視装置は、付設ユニットＡＵ１を用いた商品盗難監視装置ＡＰ１と同様の効果が得られる。すなわち、付設ユニットＡＵ２が商品８に取り付けられた状態のときには、ピン５５の先端が商品８の穴８１ｈの内部に位置するため、薄板によって可動ロッド３３が付設面４２の外側に向けて移動しないようにピン５５の先端を押さえこんでから、付設ユニットＡＵ２を商品８から取り外すことは極めて難しい。これにより、信頼性高く、確実に付設ユニットＡＵ２が商品から取り外されたことを検出でき、付設ユニットＡＵ２が商品から取り外されたときにはそれだけ信頼性高く、確実に警報を発することができる。
【０１３１】
また、商品８の機種等によってジャックコネクタ８１の穴８１ｈの深さが多少変動しても、ピン５５等の長さを変えることなく、付設ユニットＡＵ２の商品８への取付け状態を同じ付設ユニットＡＵ２によって検出することができる。たとえ商品８のジャックコネクタ８１の穴８１ｈに底面がなくても、付設ユニットＡＵ２の商品への取付け状態を付設ユニットＡＵ２によって検出することができる。なお、付設ユニットＡＵ２においても、付設ユニットＡＵ１と同様に、商品のジャックコネクタ８１の穴８１ｈの内部に挿入される付設ユニット部分の長さは、ジャックコネクタ８１に本来差し込まれる予定のプラグコネクタ７１の穴８１ｈの内部に挿入される部分の長さよりも短くしている。
【０１３２】
付設ユニットＡＵ２においては商品の穴８１ｈの内部に配置された接触子８１１と接触するピン５５が絶縁性であり、可動ロッド３３や延長ロッド５４は導電性ではあるが、これらのサイズが接触子８１１と接触しないサイズであるため、ピン５５を穴８１ｈに挿入して付設ユニットＡＵ２を商品８に取り付けても、警報装置ＡＤからの漏れ電流を防止できる。
【０１３３】
付設ユニットＡＵ２を商品盗難監視装置で用いると次の利点もある。付設ユニットＡＵ２が商品８から取り外されるとき、既述のように可動ロッド３３とピン５５とが所定距離よりも大きく離れないように規制がかかるまで、本例においてはピン５５の後端係合部５５ｅと延長ロッド５４の先端係合部５４ｅとが係合するまでは、付設ユニットＡＵ２が商品８から離れてもスイッチ３の接点３ｃが閉じられた状態が保持され、警報が発せられない。つまり、付設ユニットＡＵ２が商品８に取り付けられているときの可動ロッド３３の位置（図１２（Ａ）参照）から、可動ロッド３３が穴８１の外側に向けて移動して、可動ロッド３３とピン５５とが所定距離よりも大きく離れないように規制がかかる可動ロッド３３の位置（図１２（Ｂ）参照）までの距離（マージン距離）Ｈ３　分だけ、警報が発せられないマージンがある。このようなマージン距離Ｈ３　を設けたことにより、付設ユニットＡＵ２が商品８から若干離れただけでは警報が発せられない。付設ユニットＡＵ２を両面接着テープによって商品８に取り付ける場合等には、客がその商品８を手にとるなどしたときに、その客が付設ユニットＡＵ２を商品８から取り外そうという気がなくても、付設ユニットＡＵ２が商品から若干離れてしまうこともあり、このようなときに警報が発せられるとかえって不都合である。付設ユニットＡＵ２においてはマージン距離Ｈ３　が設けられているので、付設ユニットＡＵ２が商品８から若干離れただけでのときに、警報が発せられることを抑制できる。
【０１３４】
なお、図４（Ａ）及び（Ｂ）の付設ユニットＡＵ１を用いる場合には、ピン５２と可動ロッド３３が一体的に移動するため付設ユニットＡＵ１が若干でも商品８から離れるとすぐにスイッチ接点３ｃが開いて、警報が発せられる。すなわち、付設ユニットＡＵ１は、付設ユニットＡＵ２に比べて検出感度が高い。また、付設ユニットＡＵ１は付設ユニットＡＵ２に比べて構造が簡単であり、それだけ低コストで作製することができる。
【０１３５】
§５．
本発明に係る付設ユニットのさらに他の例の概略断面図を図１４に示す。図１４の付設ユニットＡＵ３は、図１０（Ａ）及び（Ｂ）の付設ユニットＡＵ２に次のような嵌合部４１ｆをさらに設けたものである。
【０１３６】
付設ユニットＡＵ３においては、付設ユニットケース４１の付設面４２に嵌合部４１ｆが設けられており、嵌合部４１ｆは付設面４２の外側に突出している。嵌合部４１ｆは円筒状であり、その中心部には孔４１ｇが設けられいる。可動ロッド３３等はこの孔４１ｇを通じて移動できる。付設ユニットＡＵ３が商品８に取り付けられたときには嵌合部４１ｆは穴８１ｈの内部に位置する。この嵌合部４１ｆの外周面と穴の内面の間の相互接触抵抗（摩擦抵抗）により、付設ユニットＡＵ３の商品８に取り付けられた状態が保持される。このような嵌合部４１ｆを付設ユニットに設ける場合も、付設ユニットの商品への取付け状態をより確実に保持するために両面接着テープにより付設ユニットを商品に貼りつけてもよい。このような嵌合部は図４（Ａ）及び（Ｂ）の付設ユニットＡＵ１に対して設けてもよい。
【０１３７】
§６．
付設ユニットのピンが挿入される商品のジャックコネクタの穴の内部構造は、図２に示すものに限定されない。商品のジャックコネクタの穴の内部構造は例えば図１５に示すものであってもよい。図１５のジャックコネクタ８２においては、その穴８２ｈの内部には、プラグコネクタ７１（図３参照）の接触子７１１、７１２にそれぞれ接触させるための接触子８２１、８２２が配置されている。商品８のジャックコネクタ８２の穴８２ｈの内部構造がこのようなものであっても、例えば付設ユニットＡＵ２のピン５５を穴８２ｈを挿入すれば、ピン５５と接触子８２１との接触抵抗により、図２の穴８１ｈに挿入するときと同様に、スイッチ３の接点３ｃを開閉させることができる。本例ではピン５５を穴８２ｈに挿入して、付設ユニットＡＵ２が商品に取り付けられた状態のときには、ピン５５と接触子８２１、８２２が接触するが、ピン５５が絶縁性であるため、これら接触子８２１と８２２とが短絡してしまう恐れはない。
【０１３８】
§７．
本発明に係る付設ユニットのさらに他の例の概略断面図を図１６（Ａ）に示す。図１６（Ａ）の付設ユニットＡＵ４は、図４（Ａ）及び（Ｂ）の付設ユニットＡＵ１と同様に、商品８のジャックコネクタ８１の穴８１ｈに差し込んで用いるものである。付設ユニットＡＵ４は次に述べることを除き付設ユニットＡＵ１と同じ構造を有している。付設ユニットＡＵ１とＡＵ４を示す図面においては、同じ機能の部品には同じ参照符号が付してある。
【０１３９】
付設ユニットＡＵ４においては、スイッチ３の可動ロッド３３の先端側にジョイント部材５３０、延長ロッド５４０及びピン５５０が設けられている。前記の付設ユニットＡＵ２やＡＵ３におけるようなバネは設けられていない。
【０１４０】
可動ロッド３３はジョイント部材５３０を介して延長ロッド５４０に接続されている。本例ではジョイント部材５３０は可動ロッド３３と延長ロッド５４０にそれぞれ螺合されている。それには限定されないが、ここでは、スイッチの可動ロッド３３、ジョイント部材５３０及び延長ロッド５４０はともに真鍮製であり、ピン５５０は電気絶縁性材料（ここではＡＢＳ樹脂）からなる。
【０１４１】
ピン５５０は先端が丸められており、中空に形成されている。該ピンの中空部５５０ｃに延長ロッド５４０の大径先端部５４０ｅが挿入されている。延長ロッド５４０の該大径先端部５４０ｅ以外の部分はジョイント部材５３０や可動ロッド３３と略同径であり、ピン中空部５５０ｃを塞ぐピン上端壁５５０ｅの孔に挿通されている。ピン５５０はその中空部５５０ｃの底部が延長ロッド先端部５４０ｅに支える位置（図１６（Ａ）参照）と上端壁５５０ｅが延長ロッド先端部５４０ｅに支える位置との間で延長ロッド５４０に対し、可動ロッド３３の移動方向に相対的に移動できる。すなわち、延長ロッド５４０（従って可動ロッド３３）とピン５５０は該中空部５５０ｃの縦方向長さにより規定される距離だけ互いに相対的に移動可能である。延長ロッド先端部５４０ｅ及びピン５５０の上端壁５５０ｅ及び底部分は言わば該相対的移動を規制する係合部である。
【０１４２】
ピン５５０のサイズは、穴８１ｈの内面、すなわち本例では穴８１ｈに設けられた上下の電気的接触子８３１、８３２の面に接触するサイズに設定されている。
【０１４３】
また、この付設ユニットＡＵ４は、スイッチ３を収納固定した付設ユニットケース４１に接続固定された付設ユニット取付け用嵌合部４１０を備えている。図１６（Ｂ）は該嵌合部の側面図であり、図１６（Ｃ）は該嵌合部の底面図である。これらの図から分かるように、嵌合部４１０は付設ユニットケース４１に接続固定される上端部４１１と該上端部と一体的に形成されたスカート部４１２からなっている。嵌合部４１０は電気絶縁性の材料（ここでは合成樹脂）からなっている。
【０１４４】
上端部４１１には可動ロッド３３及びこれに接続されたジョイント部材５３０等の挿通移動を可能とする孔４１１ｈが形成されている。孔４１１ｈの内径は可動ロッド３３、ジョイント部材５３０等の外径より大きく、これらに接触しない。スカート部４１２は筒状体の下面から上端部４１１へ向けて（換言すれば嵌合方向に）、底面から見ると十字形の切り欠きスリット４１２ｓを等中心角度間隔で４本形成した如きものである。
【０１４５】
図１６（Ａ）に示すように外力を受けていないときのスカート部４１２の最大外径は、この付設ユニットＡＵ４を装着しようとする複数種類商品におけるいずれのジャックコネクタ穴８１ｈの上端部内径より大きくしてある。このスカート部４１２はその弾力に抗して径を小さく絞めることができ、外力除くと弾性復元力にて図１６（Ｂ）に示す状態に戻ることかできる。
【０１４６】
この付設ユニットＡＵ４は、ピン５５０が商品８のジャックコネクタ８１の穴８１ｈに挿入されるとともに付設ユニット取付け用嵌合部４１０が該ジャックコネクタの穴８１ｈに嵌着されることで商品８に取り付けられる。
【０１４７】
ピン５５０が穴８１ｈに挿入されるとき、ピン５５０と穴内面を形成している接触子８３１、８３２の間の相互接触抵抗により、ピン５５０が延長ロッド５４０に対し相対的に移動せしめられ、ピン底部に延長ロッド先端部５４０ｅが当接すると、延長ロッド５４０も、従って可動ロッド３３も押され、これによりスイッチ３の接点３ｃが閉じられる。
【０１４８】
また、嵌合部４１０が穴８１ｈの入口を含む部分に嵌着される。このとき、嵌合部４１０のスカート部４１２は穴内面により内側へ押されて径が縮められて嵌着される。かくして、スカート部４１２の弾性復元力にて該スカート部４１２が穴内面に押しつけられる。これにより、嵌合部４１０は引き抜き可能ではあるが、しっかりと穴８１に嵌着され、たとえ商品によって少しぐらいジャックコネクタ穴サイズにバラツキがあっても、しっかりと穴８１に嵌着される。
【０１４９】
そしてこれらにより、付設ユニットＡＵ４全体がしっかりと商品８に取り付けられ、且つ、スイッチ接点３ｃが閉じ状態に維持される。
【０１５０】
付設ユニットＡＵ４が商品８から離れる方向に引っ張られて該商品から取り外されるときには、嵌合部４１０が商品８のジャックコネクタ穴８１ｈから引き抜かれる。このとき、可動ロッド３３及び延長ロッド５４０がピン５５０に対し前記ピン中空部５５０ｃにより定められている所定距離の範囲内で相対的に移動し終わるまでは、換言すれば、延長ロッド先端部５４０ｅがピン５５０の上端壁５５０ｅに当接するまでは、ピン５５０の該穴内部における位置が該ピンと接触子８３１、８３２の間の相互接触抵抗により保持される。
【０１５１】
そしてこの間に可動ロッド３３が付設面４２の内側から外側へ向け付勢されスイッチ接点３ｃが開かれる。可動ロッド３３がピン５５０に対し前記所定距離の範囲内で相対的に移動し終わった後、換言すれば、延長ロッド先端部５４０ｅがピン上端壁５５０ｅに当接したあと付設ユニットＡＵ４がさらに商品８から離れる方向に引っ張られるとピン５５０が商品８から取り外される。
【０１５２】
これらにより、スイッチ接点３ｃの開閉状態に基づき、付設ユニットＡＵ４が商品８に取り付けられているか否かを検出することができる。
【０１５３】
付設ユニットＡＵ４を用いた商品盗難監視装置は、付設ユニットＡＵ１を用いた商品盗難監視装置ＡＰ１と同様の効果が得られる。すなわち、付設ユニットＡＵ４が商品８に取り付けられた状態のときには、嵌合部４１０が可動ロッド３３等を囲んでいるから、薄板によって可動ロッド３３等が付設面４２の外側に向けて移動しないように押さえこんでから、付設ユニットＡＵ４を商品８から取り外すことは極めて難しい。これにより、信頼性高く、確実に付設ユニットＡＵ４が商品から取り外されたことを検出でき、付設ユニットＡＵ４が商品から取り外されたときにはそれだけ信頼性高く、確実に警報を発することができる。
【０１５４】
また、商品８の機種等によってジャックコネクタ８１の穴８１ｈの深さが多少変動しても、ピン５５０等の長さを変えることなく、付設ユニットＡＵ４の商品８への取付け状態を同じ付設ユニットＡＵ４によって検出することができる。たとえ商品８のジャックコネクタ８１の穴８１ｈに底面がなくても、付設ユニットＡＵ４の商品への取付け状態を付設ユニットＡＵ４によって検出することができる。
【０１５５】
また、ピン５５０が絶縁性であり、可動ロッド３３や延長ロッド５４０は導電性ではあるが、接触子８３１、８３２と接触しないため、付設ユニットＡＵ４を商品８に取り付けても、警報装置ＡＤからの漏れ電流を防止できる。
【０１５６】
【発明の効果】
以上説明したように本発明は、ジャックコネクタを有する商品の盗難を監視するために、その商品に取り付けられる付設ユニットを有し、付設ユニットの商品への取り付け状態に応じて警報が発せられる商品盗難監視装置であって、付設ユニットが商品から取り外されたことを従来よりも信頼性高く、確実に検出することができ、付設ユニットが商品から取り外されたときには従来よりも信頼性高く、確実に警報を発することができる商品盗難監視装置を提供することができる。
【０１５７】
また、本発明は、付設ユニットが商品から取り外されたことを従来よりも信頼性高く、確実に検出することができ、付設ユニットが商品から取り外されたときには従来よりも信頼性高く、確実に警報を発することができるとともに、付設ユニットの一部が商品から若干離れただけでは警報が発せられない商品盗難監視装置を提供することができる。
【０１５８】
また、本発明は、商品盗難監視装置において用いられる付設ユニットであって、商品への取り付け状態を従来よりも信頼性高く、確実に検出することができる付設ユニットを提供することができる。
【０１５９】
また、本発明は、商品への取り付け状態を従来よりも信頼性高く、確実に検出することができるとともに、付設ユニットの一部が商品から若干離れただけでは付設ユニットが商品から外れたとは検出しない付設ユニットを提供することができる。
【図面の簡単な説明】
【図１】本発明に係る商品盗難監視装置の一例の概略構成図である。
【図２】商品のジャックコネクタの一例の概略断面図である。
【図３】図２のジャックコネクタに本来差し込まれる予定のプラグコネクタが差し込まれた状態を示している。
【図４】図４（Ａ）は付設ユニットの一例の概略断面図であり、付設ユニットのスイッチの接点が開いている状態を示しており、図４（Ｂ）は同付設ユニットのスイッチの接点が閉じた状態を示している。
【図５】図５（Ａ）〜（Ｃ）は、商品のジャックコネクタの穴に図４の付設ユニットのピンを挿入して、付設ユニットが商品に取り付けられるときの様子を示す図である。
【図６】図６（Ａ）〜（Ｃ）は、図４の付設ユニットが商品から取り外されるときの様子を示す図である。
【図７】警報装置の一例の回路図である。
【図８】図８（Ａ）〜（Ｃ）は商品のジャックコネクタの穴の内面に接触しないピンをその穴に挿入して、付設ユニットを商品に取り付けるときの様子を示しており、図８（Ａ）はピン等の長さが穴の深さに対して適切な状態、図８（Ｂ）はピン等の長さが穴の深さに対して短すぎる状態、図８（Ｃ）はピン等の長さが穴の深さに対して長すぎる状態を示している。
【図９】図９（Ａ）及び（Ｂ）は、深さが異なる商品のジャックコネクタの穴に、図４の付設ユニットが商品に取り付けられたときの様子を示す図である。
【図１０】図１０（Ａ）は付設ユニットの他の例の概略断面図であり、付設ユニットのスイッチの接点が開いている状態を示しており、図１０（Ｂ）は同付設ユニットのスイッチの接点が閉じた状態を示している。
【図１１】図１１（Ａ）及び（Ｂ）は、図１０の付設ユニットが商品に取り付けられていく様子を示す図である。
【図１２】図１２（Ａ）は図１０の付設ユニットが商品に取り付けられた状態を示す図であり、図１２（Ｂ）は同付設ユニットが商品から取り外されるときにおいて、ピンと可動ロッドが所定距離より大きく離れないように規制がかかったときの状態を示す図である。
【図１３】図１３（Ａ）は、図１０の付設ユニットが商品から取り外されるときにおいて、１２（Ｂ）に示す位置よりもさらに付設ユニットが商品から離れた状態を示しており、図１３（Ｂ）は図１３（Ａ）に示す位置よりもさらに付設ユニットが商品から離れた状態を示している。
【図１４】本発明に係る付設ユニットのさらに他の例を示す概略断面図である。
【図１５】商品のジャックコネクタの他の例と、このジャックコネクタの穴に図１０の付設ユニットのピンが挿入され様子を示す概略断面図である。
【図１６】図１６（Ａ）は付設ユニットの他の例の概略断面図であり、付設ユニットのスイッチの接点が閉じている状態を示しており、図１６（Ｂ）は同付設ユニットの嵌合部の側面図であり、図１６（Ｃ）は同付設ユニットの嵌合部の底面図である。
【図１７】図１７（Ａ）は従来の商品盗難監視装置で用いられている付設ユニットの一例の商品に取り付けられる前の状態を示しており、図１７（Ｂ）は同付設ユニットが商品に取り付けられた状態を示しており、図１７（Ｃ）は同付設ユニットの可動ロッドが薄板によって付設面の外側に移動しないように押さえ込まれてしまっている様子を示している。
【符号の説明】
ＡＰ１　商品盗難監視装置
ＡＵ１、ＡＵ２、ＡＵ３、ＡＵ４　付設ユニット
２　ケーブル
２１、２２　ケーブルの電線
３　スイッチ
３ｃ　スイッチの接点
３１　固定接点片
３２　可動接点片
３３　可動ロッド
３３ｈ　可動ロッドのヘッド部
３３ｅ　可動ロッドの先端部
３４　スイッチケース
４１　付設ユニットケース
４１ｆ、４１０　嵌合部
４１１　嵌合部４１０の上端部
４１１ｈ　嵌合部４１０の孔
４１２　嵌合部４１０のスカート部
４１２ｓ　嵌合部４１０のスリット
４２　付設面
４４　両面接着テープ
５１、５３、５３０　ジョイント部材
５４、５４０　延長ロッド
５４ｅ　延長ロッド５４の先端部（係合部）
５４０ｅ　延長ロッド５４０の大径先端部（係合部）
５２、５５　ピン
５５ａ　ピン５５の開口
５５ｃ　ピン５５の空孔
５５ｅ　ピン５５の後端部（係合部）
５５０ｅ　ピン５５０の上端壁（係合部）
５５０ｃ　ピン５５０の中空部
５６　コイルバネ（弾性部材）
７　イヤホン
７１　イヤホンのプラグコネクタ
７１１、７１１　イヤホンのプラグコネクタの接触子
８　商品
８１、８２　商品のジャックコネクタ
８１ｈ、８２ｈ　商品のジャックコネクタの穴
８１１、８１２、８２１、８２２　商品のジャックコネクタの穴の内部に配置された接触子
ＡＤ　警報装置
ＴＰ　薄板
ＡＵｐ　従来の付設ユニット
【図１】
2004070921.tif 000003
【図２】
2004070921.tif 000004
【図３】
2004070921.tif 000005
【図４】
2004070921.tif 000006
【図５】
2004070921.tif 000007
【図６】
2004070921.tif 000008
【図７】
2004070921.tif 000009
【図８】
2004070921.tif 000010
【図９】
2004070921.tif 000011
【図１０】
2004070921.tif 000012
【図１１】
2004070921.tif 000013
【図１２】
2004070921.tif 000014
【図１３】
2004070921.tif 000015
【図１４】
2004070921.tif 000016
【図１５】
2004070921.tif 000017
【図１６】
2004070921.tif 000018
【図１７】
2004070921.tif 000019